(57)【要約】      （修正有）【課題】複数ユーザ（ＭＵ）送信を有する複数アンテナシステム（ＭＡＳ）（「ＭＵ−ＭＡＳ」）内の多重化利得を達成する。【解決手段】セル間干渉を利用するシステム及び方法であって、ＭＵ−ＭＡＳは、セル間干渉を除去するために協力して動作する複数の分散されたアンテナを有する無線セルラネットワークを含む。そして、セル間多重化利得を利用してネットワーク容量を増大する。【選択図】図１
2019004482.tif 000002
【特許請求の範囲】
【請求項１】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記分散アンテナから送信される電力は、任意の特定の電力レベルに制約されることがなく、前記セル全体にわたる意図的なセル間干渉を生じさせる結果となり、前記セル間干渉が前記無線通信ネットワークの容量を増加させるように実行される、ことを特徴とするシステム。
【請求項２】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記無線通信ネットワークがロングタームエボリューション（ＬＴＥ）ネットワークのようなセルラネットワークであり、
閉ループプリコーディング方法が、ダウンリンク(ＤＬ)チャネルを超えて送受信基地局（ＢＴＳ）からユーザ機器(ＵＥ)に同時非干渉データリンクストリームを送信するように用いられ、そして、
すべてのユーザ機器(ＵＥ)はセル固有の参照信号（ＣＲＳ）を用いてすべての送受信基地局（ＢＴＳ）または、その固有のユーザクラスタ内の送受信基地局（ＢＴＳ）のみからチャネル状態情報（ＣＳＩ）を推定し、該ユーザクラスタは、前記ユーザ機器(ＵＥ)の位置から届く前記送受信基地局（ＢＴＳ）の組として画定される、ことを特徴とするシステム。
【請求項３】
集中型プロセッサ（ＣＰ）が前記ダウンリンク(ＤＬ)チャネルの時間と周波数選択性を推定し、異なる送受信基地局（ＢＴＳ）に対する前記セル固有の参照信号（ＣＲＳ）を異なるリソースエレメントに動的に再配分する、ことを特徴とする請求項２に記載のシステム。
【請求項４】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記無線通信ネットワークがロングタームエボリューション（ＬＴＥ）ネットワークのようなセルラネットワークであり、
閉ループプリコーディング方法が、ダウンリンク(ＤＬ)チャネルを超えて送受信基地局（ＢＴＳ）からユーザ機器(ＵＥ)に同時非干渉データリンクストリームを送信するように用いられ、そして、
すべてのユーザ機器(ＵＥ)はチャネル状態情報参照信号（ＣＳＩ−ＲＳ）または、復調参照信号（ＤＭ−ＲＳ）、またはその両方の組み合わせを用いて、すべての送受信基地局（ＢＴＳ）または、その固有のユーザクラスタ内の送受信基地局（ＢＴＳ）のみからチャネル状態情報（ＣＳＩ）を推定する、ことを特徴とするシステム。
【請求項５】
ロングタームエボリューション（ＬＴＥ）規格のチャネル状態情報参照信号（ＣＳＩ−ＲＳ）方式によって支持されるアンテナの最大数より少ない前記ユーザクラスタ内の送受信基地局（ＢＴＳ）の数を減らすように、前記送受信基地局（ＢＴＳ）からの送信電力が低減されている、ことを特徴とする請求項４に記載のシステム。
【請求項６】
前記ユーザクラスタ内の前記送受信基地局（ＢＴＳ）がサブセットに分割され、前記チャネル状態情報参照信号（ＣＳＩ−ＲＳ）が所定の間隔で一度に送受信基地局（ＢＴＳ）の１つのサブセットから送信される、ことを特徴とする請求項４に記載のシステム。
【請求項７】
異なるサブセットのための前記チャネル状態情報参照信号（ＣＳＩ−ＲＳ）の前記間隔が、前記ロングタームエボリューション（ＬＴＥ）規格によって支持された前記間隔の値及び前記ユーザ機器(ＵＥ)のチャネルコヒーレンス時間に基づいて決定ささる、ことを特徴とする請求項６に記載のシステム。
【請求項８】
前記ロングタームエボリューション（ＬＴＥ）規格とは異なるパターン及び間隔が前記チャネル状態情報参照信号（ＣＳＩ−ＲＳ）に対して許容されてシステムの送受信基地局（ＢＴＳ）のより多くの数を可能にする、ことを特徴とする請求項４に記載のシステム。
【請求項９】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記無線通信ネットワークがロングタームエボリューション（ＬＴＥ）ネットワークのようなセルラネットワークであり、
閉ループプリコーディング方法が、ダウンリンク(ＤＬ)チャネルを超えて送受信基地局（ＢＴＳ）からユーザ機器(ＵＥ)に同時非干渉データリンクストリームを送信するように用いられ、そして、
前記ユーザ機器(ＵＥ)は、物理アップリンク制御チャネル（ＰＵＣＣＨ）を介してランク指標（ＲＩ）、プリコーディングマトリックス指標（ＰＭＩ）、チャネル品質指標（ＣＱＩ）を前記集中型プロセッサ（ＣＰ）に報告する、ことを特徴とするシステム。
【請求項１０】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記無線通信ネットワークがロングタームエボリューション（ＬＴＥ）ネットワークのようなセルラネットワークであり、
閉ループプリコーディング方法が、ダウンリンク(ＤＬ)チャネルを超えて送受信基地局（ＢＴＳ）からユーザ機器(ＵＥ)に同時非干渉データリンクストリームを送信するように用いられ、そして、
前記ユーザ機器(ＵＥ)は、物理アップリンク共有チャネル（ＰＵＳＣＨ）を介してランク指標（ＲＩ）、プリコーディングマトリックス指標（ＰＭＩ）、チャネル品質指標（ＣＱＩ）を前記集中型プロセッサ（ＣＰ）に報告する、ことを特徴とするシステム。
【請求項１１】
前記システムがチャネル周波数選択性を推定し、前記プリコーディングマトリックス指標（ＰＭＩ）を動的に調整して同じ利用可能なアップリンク（ＵＬ）リソースのためのより多数の送受信基地局（ＢＴＳ）を支持する、ことを特徴とする請求項１０に記載のシステム。
【請求項１２】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記無線通信ネットワークがロングタームエボリューション（ＬＴＥ）ネットワークのようなセルラネットワークであり、
開ループプリコーディング方法が、ダウンリンク(ＤＬ)チャネルを超えて送受信基地局（ＢＴＳ）からユーザ機器(ＵＥ)に同時非干渉データリンクストリームを送信するように用いられる、ことを特徴とするシステム。
【請求項１３】
複数ユーザ（ＭＵ）送信を有する複数アンテナシステム（ＭＡＳ）（「ＭＵ−ＭＡＳ」）を含むシステムであって、
前記複数アンテナシステムは、
複数の無線ユーザ装置と、
前記無線ユーザ装置と通信可能なように接続され、前記無線ユーザ装置の位置においてオーバーラップするカバレッジを有する複数の無線送受信装置または協調する分散アンテナと、
同じ周波数バンド内のユーザ装置と複数の同時非干渉ダウンリンクまたはアップリンクデータリンクを形成するためにセル間干渉を実行する空間処理を用いる空間処理手段と、を備え、
前記無線通信ネットワークがロングタームエボリューション（ＬＴＥ）ネットワークのようなセルラネットワークであり、
開ループプリコーディング方法が、ダウンリンク(ＤＬ)チャネルを超えて送受信基地局（ＢＴＳ）からユーザ機器(ＵＥ)に同時非干渉データリンクストリームを受信するように用いられる、ことを特徴とするシステム。
【請求項１４】
異なる音声基準シンボル（ＳＲＳ）又は復調参照信号（ＤＭＲＳ）が、すべてのユーザ機器(ＵＥ)から送受信基地局（ＢＴＳ）へのチャネルインパルス応答を推定するために使用される、ことを特徴とする請求項１２に記載のシステム。
【請求項１５】
異なる音声基準シンボル（ＳＲＳ）又は復調参照信号（ＤＭＲＳ）が、すべてのユーザ機器(ＵＥ)の異なるアンテナに割り当てられる、ことを特徴とする請求項１４に記載のシステム。
【請求項１６】
非協調的な送受信基地局（ＢＴＳ）の間の干渉を低減するように、異なる音声基準シンボル（ＳＲＳ）又は復調参照信号（ＤＭＲＳ）が送受信基地局（ＢＴＳ）の異なるサブセットに割り当てられる、ことを特徴とする請求項１４に記載のシステム。
【請求項１７】
異なる音声基準シンボル（ＳＲＳ）又は復調参照信号（ＤＭＲＳ）が、チャネルの周波数ダイバーシティを利用するために、周波数ホッピングパターンに基づいて割り当てられる、ことを特徴とする請求項１４に記載のシステム。
【請求項１８】
アクティブユーザ機器(ＵＥ)が群に分割されるとともに、音声基準シンボル（ＳＲＳ）又は復調参照信号（ＤＭＲＳ）の同じセットが、連続的な時間スロット上で各群へ割り当てられるように、ことを特徴とする請求項１４に記載のシステム。
【請求項１９】
最短のチャネルコヒーレンス時間がすべてのアクティブユーザ機器(ＵＥ)に対して推定され、かつ、その情報に基づいて、最大数のユーザ機器(ＵＥ)群並びに前記音声基準シンボル（ＳＲＳ）又は復調参照信号（ＤＭＲＳ）の時分割多重化方式の周期性が計算される、ことを特徴とする請求項１８に記載のシステム。
【請求項２０】
ユーザ機器(ＵＥ)間の時間及び周波数同期はダウンリンク(ＤＬ)シグナリング情報を利用することによって達成される、ことを特徴とする請求項１３に記載のシステム。
【請求項２１】
前記送受信基地局（ＢＴＳ）は、同じ物理クロックへの直接的な配線によるか、又は、ＧＰＳ基準周波数発生器（ＧＰＳＤＯ）による共通の時間及び周波数基準を共有することにより、同じ基準クロックに対して同期されている、請求項２０に記載のシステム。
【請求項２２】
前記ユーザ機器(ＵＥ)間の相対的な伝搬遅延が、同じ送受信基地局（ＢＴＳ）にリンクされたこれらのユーザ機器(ＵＥ)のためだけのアップリンク（ＵＬ）を処理することにより回避され、それにより、ユーザ機器(ＵＥ)間の時間同期を保証する、ことを特徴とする請求項２０に記載のシステム。
【請求項２３】
前記ユーザ機器(ＵＥ)間の相対的な伝搬遅延が、送受信基地局（ＢＴＳ）受信機での前記ユーザ機器(ＵＥ)の時間同期を保証するために、アップリンク（ＵＬ）送信前に、前記ＵＥ側で事前に補償される、ことを特徴とする請求項１０に記載のシステム。
【請求項２４】
前記開ループプリコーディング方法が、最大尤度（ＭＬ）、決定帰還等化（ＤＦＥ）又は逐次干渉除去（ＳＩＣ）受信機を含む非線形空間フィルタを備える、ことを特徴とする請求項２０に記載のシステム。
【請求項２５】
前記開ループプリコーディング方法が、ゼロフォーシング（ＺＦ）又は最小平均二乗誤差（ＭＭＳＥ）を含む線形空間フィルタを備える、ことを特徴とする請求項２０に記載のシステム。
【請求項２６】
単一キャリアの周波数分割多元接続（ＳＣ−ＦＤＭＡ）が、周波数領域内の前記ユーザ機器(ＵＥ)を多重化するために使用される、ことを特徴とする請求項１３に記載のシステム。
【請求項２７】
無線周波数（ＲＦ）補正が、アップリンク（ＵＬ）チャネル状態情報（ＣＳＩ）をダウンリンク(ＤＬ)チャネル状態情報（ＣＳＩ）に変換するために使用され、これによりアップリンク（ＵＬ）／ダウンリンク(ＤＬ)チャネルの相互性を利用する、ことを特徴とする請求項１２に記載のシステム。
【請求項２８】
音声基準シンボル（ＳＲＳ）又は復調参照信号（ＤＭＲＳ）は、すべてのユーザ機器(ＵＥ)から前記送受信基地局（ＢＴＳ）へのチャネルインパルス応答を推定するために使用される、ことを特徴とする請求項１３に記載のシステム。
【発明の詳細な説明】
【技術分野】
【０００１】
（関連出願の相互参照）
本出願は、２０１２年１１月２６日出願の「Ｓｙｓｔｅｍｓ  Ａｎｄ  Ｍｅｔｈｏｄｓ  Ｆｏｒ  Ｅｘｐｌｏｉｔｉｎｇ  Ｉｎｔｅｒ−Ｃｅｌｌ  Ｍｕｌｔｉｐｌｅｘｉｎｇ  Ｇａｉｎ  Ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題する同時係属中の米国仮出願番号第６１／７２９，９９０号の利益を主張する。この仮出願は、本出願の譲受人に譲渡されている。この出願は、その全体が本明細書に参照により組み込まれる。
【０００２】
（関連出願）
本出願は、以下の同時係属中の米国特許出願に関連があり得る。
米国特許出願第１３／２３３，００６号、表題「Ｓｙｓｔｅｍ  ａｎｄ  Ｍｅｔｈｏｄｓ  ｆｏｒ  ｐｌａｎｎｅｄ  ｅｖｏｌｕｔｉｏｎ  ａｎｄ  ｏｂｓｏｌｅｓｃｅｎｃｅ  ｏｆ  ｍｕｌｔｉｕｓｅｒ  ｓｐｅｃｔｒｕｍ」。
【０００３】
米国特許出願第１３／２３２，９９６号、表題「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」。
【０００４】
米国特許出願第１３／４６４，６４８号、表題「Ｓｙｓｔｅｍ  ａｎｄ  Ｍｅｔｈｏｄｓ  ｔｏ  Ｃｏｍｐｅｎｓａｔｅ  ｆｏｒ  Ｄｏｐｐｌｅｒ  Ｅｆｆｅｃｔｓ  ｉｎ  Ｄｉｓｔｒｉｂｕｔｅｄ−Ｉｎｐｕｔ  Ｄｉｓｔｒｉｂｕｔｅｄ  Ｏｕｔｐｕｔ  Ｓｙｓｔｅｍｓ」。
【０００５】
２０１３年９月２４日発行の米国特許第８，５４２，７６３号、表題「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」。
【０００６】
米国特許出願第１２／８０２，９８８号、表題「Ｉｎｔｅｒｆｅｒｅｎｃｅ  Ｍａｎａｇｅｍｅｎｔ，Ｈａｎｄｏｆｆ，Ｐｏｗｅｒ  Ｃｏｎｔｒｏｌ  Ａｎｄ  Ｌｉｎｋ  Ａｄａｐｔａｔｉｏｎ  Ｉｎ  Ｄｉｓｔｒｉｂｕｔｅｄ−Ｉｎｐｕｔ  Ｄｉｓｔｒｉｂｕｔｅｄ−Ｏｕｔｐｕｔ（ＤＩＤＯ）Ｃｏｍｍｕｎｉｃａｔｉｏｎ  Ｓｙｓｔｅｍｓ」。
【０００７】
２０１２年５月１日発行の米国特許第８，１７０，０８１号、表題「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」。
【０００８】
米国特許出願第１２／８０２，９７４号、表題「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」。
【０００９】
米国特許出願第１２／８０２，９８９号、表題「Ｓｙｓｔｅｍ  Ａｎｄ  Ｍｅｔｈｏｄ  Ｆｏｒ  Ｍａｎａｇｉｎｇ  Ｈａｎｄｏｆｆ  Ｏｆ  Ａ  Ｃｌｉｅｎｔ  Ｂｅｔｗｅｅｎ  Ｄｉｆｆｅｒｅｎｔ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋｓ  Ｂａｓｅｄ  Ｏｎ  Ｄｅｔｅｃｔｅｄ  Ｖｅｌｏｃｉｔｙ  Ｏｆ  Ｔｈｅ  Ｃｌｉｅｎｔ」。
【００１０】
米国特許出願第１２／８０２，９５８号、表題「Ｓｙｓｔｅｍ  Ａｎｄ  Ｍｅｔｈｏｄ  Ｆｏｒ  Ｐｏｗｅｒ  Ｃｏｎｔｒｏｌ  Ａｎｄ  Ａｎｔｅｎｎａ  Ｇｒｏｕｐｉｎｇ  Ｉｎ  Ａ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋ」。
【００１１】
米国特許出願第１２／８０２，９７５号、表題「Ｓｙｓｔｅｍ  Ａｎｄ  Ｍｅｔｈｏｄ  Ｆｏｒ  Ｌｉｎｋ  ａｄａｐｔａｔｉｏｎ  Ｉｎ  ＤＩＤＯ  Ｍｕｌｔｉｃａｒｒｉｅｒ  Ｓｙｓｔｅｍｓ」。
【００１２】
２０１３年１０月２９日発行の米国特許第８，５７１，０８６号、表題「Ｓｙｓｔｅｍ  Ａｎｄ  Ｍｅｔｈｏｄ  Ｆｏｒ  ＤＩＤＯ  Ｐｒｅｃｏｄｉｎｇ  Ｉｎｔｅｒｐｏｌａｔｉｏｎ  Ｉｎ  Ｍｕｌｔｉｃａｒｒｉｅｒ  Ｓｙｓｔｅｍｓ」。
【００１３】
米国特許出願第１２／６３０，６２７号、表題「Ｓｙｓｔｅｍ  ａｎｄ  Ｍｅｔｈｏｄ  Ｆｏｒ  Ｄｉｓｔｒｉｂｕｔｅｄ  Ａｎｔｅｎｎａ  Ｗｉｒｅｌｅｓｓ  Ｃｏｍｍｕｎｉｃａｔｉｏｎｓ」。
【００１４】
２００９年１０月６日発行の米国特許第７，５９９，４２０号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００１５】
２００９年１２月１５日発行の米国特許第７，６３３，９９４号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００１６】
２００９年１２月２２日発行の米国特許第７，６３６，３８１号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００１７】
２０１２年４月１７日発行の米国特許第８，１６０，１２１号、表題「Ｓｙｓｔｅｍ  ａｎｄ  Ｍｅｔｈｏｄ  Ｆｏｒ  Ｄｉｓｔｒｉｂｕｔｅｄ  Ｉｎｐｕｔ−Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」。
【００１８】
２０１０年５月４日発行の米国特許第７，７１１，０３０号、表題「Ｓｙｓｔｅｍ  ａｎｄ  Ｍｅｔｈｏｄ  Ｆｏｒ  Ｓｐａｔｉａｌ−Ｍｕｌｔｉｐｌｅｘｅｄ  Ｔｒｏｐｏｓｐｈｅｒｉｃ  Ｓｃａｔｔｅｒ  Ｃｏｍｍｕｎｉｃａｔｉｏｎｓ」。
【００１９】
２００８年８月２６日発行の米国特許第７，４１８，０５３号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００２０】
２０１１年２月８日発行の米国特許第７，８８５，３５４号、表題「Ｓｙｓｔｅｍ  ａｎｄ  Ｍｅｔｈｏｄ  Ｆｏｒ  Ｅｎｈａｎｃｉｎｇ  Ｎｅａｒ  Ｖｅｒｔｉｃａｌ  Ｉｎｃｉｄｅｎｃｅ  Ｓｋｙｗａｖｅ（「ＮＶＩＳ」）Ｃｏｍｍｕｎｉｃａｔｉｏｎ  Ｕｓｉｎｇ  Ｓｐａｃｅ−Ｔｉｍｅ  Ｃｏｄｉｎｇ」。
【背景技術】
【００２１】
過去３０年において、無線セルラ市場は、世界的な加入者数の増加、並びに音声からウェブブラウジング及びリアルタイムＨＤビデオストリーミングへ移行するより良いサービスの需要を経験している。より高いデータレート、低遅延、及び信頼性の向上を必要とするサービスに対するこの需要の増加は、異なる規格によって無線技術の急激な進化を牽引してきた。１９８０年代初期における第１世代の（音声サービスのための）アナログＡＭＰ及びＴＡＣＳから始まり、１９９０年代における２Ｇ及び２．５ＧのデジタルＧＳＭ（登録商標）、（音声及びデータサービスのための）ＩＳ−９５及びＧＰＲＳ、２０００年代前半における（ウェブブラウジングのための）ＵＭＴＳ及びＣＤＭＡ２０００に関する３Ｇに、そして、最後に、現在世界中の様々の国において配備されている（高速のインターネット接続のための）ＬＴＥに移行してきた。
【００２２】
ロングタームエボリューション（ＬＴＥ）は、第４世代（４Ｇ）無線セルラシステムに関する第３世代パートナーシッププロジェクト（３ＧＰＰ）によって開発された規格である。ＬＴＥは、複数入力複数出力（ＭＩＭＯ）技術により無線チャネルの空間部品を利用することによって、ダウンリンクスペクトル効率において、以前の３Ｇ及びＨＳＰＡ＋規格に対して、４倍までの改善を実現することができる。ＬＴＥ−Ａｄｖａｎｃｅｄは、ＬＴＥの進化版であり、現在規格化中であるが、スペクトル効率において、３Ｇ規格システムに対して８倍までの増加を可能にするであろう。
【００２３】
この技術の進化にもかかわらず、次の３年において、無線キャリアは、リアルタイムＨＤビデオストリーミング、テレビ会議及びゲームのような更にデータが必要なアプリケーションを提供するスマートフォン及びテーブルの市場浸透の増加により、データレートに対する増大する需要を満たすことができない強い可能性がある。ワイヤレスネットワークの容量は、ＬＴＥなどの改善された技術、並びに政府によって利用可能となる更なるスペクトルによって、２０１１年から２０１５年まで、ヨーロッパにおいて５倍に拡張することが推定されている［２５］。例えば、ＦＣＣは、全米ブロードバンド計画［２４］の一部として、米国全体にわたる無線インターネットの接続性を進めるために、２０２０年までに５００ＭＨｚ（そのうち３００ＭＨｚが２０１５年までに利用可能となる予定）のスペクトルを解放する予定になっている。残念なことに、２０１５年までの容量使用の予想は、ヨーロッパにおいて２０１１年に対して２３倍であり［２５］、そして、同様のスペクトルの欠乏は、２０１４年までに米国において起こることが予想される［２６〜２７］。このデータ危機の結果、無線キャリアに関する収益は、それらの資本支出（ＣＡＰＥＸ）及び営業経費（ＯＰＥＸ）を下回る可能性があり、無線市場に潜在的に衝撃的な影響を及ぼす［２８］。
【００２４】
ＬＴＥの配備と増加したスペクトル可用性によって提供される容量利得が不十分なため、この近づくスペクトル危機を防止する唯一の予見できる解決策は、新しい無線技術を推進することである［２９］。ＬＴＥ−Ａｄｖａｎｃｅｄ（ＬＴＥ規格の進化版）は、より高度なＭＩＭＯ技術によって、かつ、「小セル」の密度を増加させることによって、ＬＴＥに対する更なる利得を約束する［３０］。しかし、セル間の協調を可能にするために、干渉問題を招くことなく又はバックホールの複雑さを増大することなく、特定の領域に適合することができるセルの数には限度がある。
【００２５】
本特許又は出願資料は、少なくともカラーで仕上げられた１つの図面を含む。カラー図面（単数又は複数）を有するこの特許又は特許公報のコピーは、請求及び必要な料金の支払いがあれば、米国特許商標庁により提供される。
【００２６】
本発明は、図面とともに以下の詳細な説明から、より良く理解することができる。
【図面の簡単な説明】
【００２７】
【図１】多重化領域及びダイバーシティ領域に分割されたセルを例示する図である。
【図２】異なる複数の領域におけるセル間干渉を示す図である。
【図３】３つの送受信基地局（ＢＴＳ）のすべてから同じ周波数で同時に送信された電力が増大され、それによって、セルの全体を通じて高水準の干渉を可能にする一実施形態を例示する図である。
【図４】セルの全体を通じて、故意にインコヒーレントな干渉レベルを増大するために、多くの更なるアクセスポイントが追加される一実施形態を例示する図である。
【図５】本発明の一実施形態において使用される複数のＬＴＥネットワーク要素を例示する図である。
【図６Ａ】ＬＴＥフレームと関連する詳細を例示する図である。
【図６Ｂ】ＬＴＥフレームと関連する詳細を例示する図である。
【図６Ｃ】ＬＴＥフレームと関連する詳細を例示する図である。
【図７Ａ】ＬＴＥにおいて最も小さな変調構造であって、周波数における１つのＯＦＤＭサブキャリア及び時間における１つのＯＦＤＭシンボル継続時間から成る「リソースエレメント」を例示する図である。
【図７Ｂ】ＬＴＥにおいて最も小さな変調構造であって、周波数における１つのＯＦＤＭサブキャリア及び時間における１つのＯＦＤＭシンボル継続時間から成る「リソースエレメント」を例示する図である。
【図８】カリフォルニア州サンフランシスコ市中心部における本発明の一実施形態の実際的な配備に関するＳＮＲ分布を例示する図である。
【図９】本発明の一実施形態において使用されるシステムアーキテクチャを例示する図である。
【発明を実施するための形態】
【００２８】
上述の先行技術の限界の多くを克服する１つの解決策は、分散入力分散出力（ＤＩＤＯ）技術の一実施形態である。ＤＩＤＯ技術は、以下の特許及び特許出願に記載され、それらすべては本特許の譲受人に譲渡されており、本明細書に参照により組み込まれる。これらの特許と出願は、本明細書で全体的に「関連特許及び出願」として、幾度か言及する。
【００２９】
米国特許出願第１３／２３３，００６号、表題「Ｓｙｓｔｅｍ  ａｎｄ  Ｍｅｔｈｏｄｓ  ｆｏｒ  ｐｌａｎｎｅｄ  ｅｖｏｌｕｔｉｏｎ  ａｎｄ  ｏｂｓｏｌｅｓｃｅｎｃｅ  ｏｆ  ｍｕｌｔｉｕｓｅｒ  ｓｐｅｃｔｒｕｍ」。
【００３０】
米国特許出願第１３／２３２，９９６号、表題「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」。
【００３１】
米国特許出願第１３／４７５，５９８号、表題「Ｓｙｓｔｅｍｓ  ａｎｄ  Ｍｅｔｈｏｄｓ  ｔｏ  Ｅｎｈａｎｃｅ  Ｓｐａｔｉａｌ  Ｄｉｖｅｒｓｉｔｙ  ｉｎ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｓｙｓｔｅｍｓ」。
【００３２】
米国特許出願第１３／４６４，６４８号、表題「Ｓｙｓｔｅｍ  ａｎｄ  Ｍｅｔｈｏｄｓ  ｔｏ  Ｃｏｍｐｅｎｓａｔｅ  ｆｏｒ  Ｄｏｐｐｌｅｒ  Ｅｆｆｅｃｔｓ  ｉｎ  Ｄｉｓｔｒｉｂｕｔｅｄ−Ｉｎｐｕｔ  Ｄｉｓｔｒｉｂｕｔｅｄ  Ｏｕｔｐｕｔ  Ｓｙｓｔｅｍｓ」。
【００３３】
２０１３年９月２４日発行の米国特許第８，５４２，７６３号、表題「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」。
【００３４】
米国特許出願第１２／８０２，９８８号、表題「Ｉｎｔｅｒｆｅｒｅｎｃｅ  Ｍａｎａｇｅｍｅｎｔ，Ｈａｎｄｏｆｆ，Ｐｏｗｅｒ  Ｃｏｎｔｒｏｌ  Ａｎｄ  Ｌｉｎｋ  Ａｄａｐｔａｔｉｏｎ  Ｉｎ  Ｄｉｓｔｒｉｂｕｔｅｄ−Ｉｎｐｕｔ  Ｄｉｓｔｒｉｂｕｔｅｄ−Ｏｕｔｐｕｔ（ＤＩＤＯ）Ｃｏｍｍｕｎｉｃａｔｉｏｎ  Ｓｙｓｔｅｍｓ」。
【００３５】
２０１２年５月１日発行の米国特許第８，１７０，０８１号、表題「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」。
【００３６】
米国特許出願第１２／８０２，９７４号、表題「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」。
【００３７】
米国特許出願第１２／８０２，９８９号、表題「Ｓｙｓｔｅｍ  Ａｎｄ  Ｍｅｔｈｏｄ  Ｆｏｒ  Ｍａｎａｇｉｎｇ  Ｈａｎｄｏｆｆ  Ｏｆ  Ａ  Ｃｌｉｅｎｔ  Ｂｅｔｗｅｅｎ  Ｄｉｆｆｅｒｅｎｔ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋｓ  Ｂａｓｅｄ  Ｏｎ  Ｄｅｔｅｃｔｅｄ  Ｖｅｌｏｃｉｔｙ  Ｏｆ  Ｔｈｅ  Ｃｌｉｅｎｔ」。
【００３８】
米国特許出願第１２／８０２，９５８号、表題「Ｓｙｓｔｅｍ  Ａｎｄ  Ｍｅｔｈｏｄ  Ｆｏｒ  Ｐｏｗｅｒ  Ｃｏｎｔｒｏｌ  Ａｎｄ  Ａｎｔｅｎｎａ  Ｇｒｏｕｐｉｎｇ  Ｉｎ  Ａ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋ」。
【００３９】
米国特許出願第１２／８０２，９７５号、表題「Ｓｙｓｔｅｍ  Ａｎｄ  Ｍｅｔｈｏｄ  Ｆｏｒ  Ｌｉｎｋ  ａｄａｐｔａｔｉｏｎ  Ｉｎ  ＤＩＤＯ  Ｍｕｌｔｉｃａｒｒｉｅｒ  Ｓｙｓｔｅｍｓ」。
【００４０】
２０１３年１０月２９日発行の米国特許第８，５７１，０８６号、表題「Ｓｙｓｔｅｍ  Ａｎｄ  Ｍｅｔｈｏｄ  Ｆｏｒ  ＤＩＤＯ  Ｐｒｅｃｏｄｉｎｇ  Ｉｎｔｅｒｐｏｌａｔｉｏｎ  Ｉｎ  Ｍｕｌｔｉｃａｒｒｉｅｒ  Ｓｙｓｔｅｍｓ」。
【００４１】
米国特許出願第１２／６３０，６２７号、表題「Ｓｙｓｔｅｍ  ａｎｄ  Ｍｅｔｈｏｄ  Ｆｏｒ  Ｄｉｓｔｒｉｂｕｔｅｄ  Ａｎｔｅｎｎａ  Ｗｉｒｅｌｅｓｓ  Ｃｏｍｍｕｎｉｃａｔｉｏｎｓ」。
【００４２】
２００９年１０月６日発行の米国特許第７，５９９，４２０号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００４３】
２００９年１２月１５日発行の米国特許第７，６３３，９９４号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００４４】
２００９年１２月２２日発行の米国特許第７，６３６，３８１号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００４５】
２０１２年４月１７日発行の米国特許第８，１６０，１２１号、表題「Ｓｙｓｔｅｍ  ａｎｄ  Ｍｅｔｈｏｄ  Ｆｏｒ  Ｄｉｓｔｒｉｂｕｔｅｄ  Ｉｎｐｕｔ−Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」。
【００４６】
２０１０年５月４日発行の米国特許第７，７１１，０３０号、表題「Ｓｙｓｔｅｍ  ａｎｄ  Ｍｅｔｈｏｄ  Ｆｏｒ  Ｓｐａｔｉａｌ−Ｍｕｌｔｉｐｌｅｘｅｄ  Ｔｒｏｐｏｓｐｈｅｒｉｃ  Ｓｃａｔｔｅｒ  Ｃｏｍｍｕｎｉｃａｔｉｏｎｓ」。
【００４７】
２００８年８月２６日発行の米国特許第７，４１８，０５３号、表題「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」。
【００４８】
２０１１年２月８日発行の米国特許第７，８８５，３５４号、表題「Ｓｙｓｔｅｍ  ａｎｄ  Ｍｅｔｈｏｄ  Ｆｏｒ  Ｅｎｈａｎｃｉｎｇ  Ｎｅａｒ  Ｖｅｒｔｉｃａｌ  Ｉｎｃｉｄｅｎｃｅ  Ｓｋｙｗａｖｅ（「ＮＶＩＳ」）Ｃｏｍｍｕｎｉｃａｔｉｏｎ  Ｕｓｉｎｇ  Ｓｐａｃｅ−Ｔｉｍｅ  Ｃｏｄｉｎｇ」。
【００４９】
本特許出願の量と複雑さを減らすために、関連特許及び出願のいくつかの開示は、明示的に以下で説明しない。その開示の完全な説明については、関連特許及び出願を参照されたい。
【００５０】
従来のセルラシステムの制約なしで、無線リンクを介するスペクトル効率の大規模な増加を提供する１つの有望な技術は、分散入力分散出力（ＤＩＤＯ）技術（上述の［０００２〜００２０］で引用された関連特許及び出願を参照）である。従来の無線システムに対する著しい性能の利益を提供するために、本発明は、セルラ規格の制約の中でも外でも共に、（ＬＴＥ又はＬＴＥ−Ａｄｖａｎｃｅｄなどの）セルラシステムに関連して使用されるＤＩＤＯ技術を記載する。ＭＩＭＯの概要から始めて、ＬＴＥ  ＭＩＭＯ及びＬＴＥ−Ａｄｖａｎｃｅｄによって使用される種々の空間処理技術を検討する。その次に、本発明が、従来のアプローチと比較して、次世代無線通信システムに関する著しい容量利得を提供する方法を示す。
【００５１】
ＭＩＭＯは、無線リンクの送信側と受信側で複数のアンテナを使用して、ダイバーシティ技術（すなわちダイバーシティ利得）によってリンク信頼性を改善するか、又は、多重化方式（すなわち多重化利得）によってより高いデータレートを提供するために、空間処理を使用する［１〜２］。ダイバーシティ利得は、信号フェージングに対する強化された堅牢性の尺度であり、固定データレートに関してより高い信号対雑音比（ＳＮＲ）をもたらす。多重化利得は、固定エラー確率でデータレートを増大するために、無線チャネルの更なる空間自由度を利用することによって得られる。ＭＩＭＯシステムにおけるダイバーシティと多重化の間の基本的なトレードオフは、［３〜４］に記載している。
【００５２】
実用的なＭＩＭＯシステムにおいて、リンク適応技術は、伝搬条件に基づいて、ダイバーシティと多重化方式の間で、動的に切り替えるために使うことができる［２０〜２３］。例えば［２２〜２３］に記載されたリンク適応方式は、低空間選択性によって特徴づけられる低ＳＮＲレジーム又はチャネルにおいて、ビームフォーミング又は直交空間時間ブロックコード（ＯＳＴＢＣ）が好ましい方式であることを示した。一方、空間多重化は高いＳＮＲ及び高い空間選択性を有するチャネルに関するデータレートにおいて、著しい利得を提供することができる。例えば、図１は、セルを次の２つの領域に分割することができることを示す。ｉ）多重化領域１０１。高いＳＮＲ（セルタワー又は基地局に近いため）によって特徴づけられ、そこでは、データレートを増大するために空間多重化によってチャネルの空間自由度を利用することができる。ｉｉ）ダイバーシティ領域又はセル端１０２。そこでは、空間多重化技術が同程度には有効ではなく、ＳＮＲ及びカバレージを改善する（データレートのほんのわずかな増加だけを提供する）ためにダイバーシティ方法を使用することができる場所である。図１におけるマクロセルの円が、円の陰影のついた中央を「多重化領域」１０１として標識し、陰影がない外の領域を「ダイバーシティ領域」１０２として標識することに注意されたい。陰影のついた領域は「多重化領域」であり、陰影がない領域は「ダイバーシティ領域」であるとするこの同じ領域指定は、たとえ標識をつけられていなくとも、図１〜図４を通して使用される。
【００５３】
ＬＴＥ（リリース８）とＬＴＥ−Ａｄｖａｎｃｅｄ（リリース１０）規格は、ダイバーシティ又は多重化方式のいずれを含む１０の伝送モード（ＴＭ）のセットを定義している［３５、８５〜８６］。
・モード１：単一アンテナ・ポート、ポート０
・モード２：送信ダイバーシティ
・モード３：大遅延巡回遅延ダイバーシティ（ＣＤＤ）、シングルユーザＭＩＭＯ（ＳＵ−ＭＩＭＯ）に関する開ループ空間多重化の拡張
・モード４：ＳＵ−ＭＩＭＯに関する閉ループ空間多重化
・モード５：複数ユーザＭＩＭＯ（ＭＵ−ＭＩＭＯ）
・モード６：閉ループ空間多重化、単一の送信レイヤ使用
・モード７：単一アンテナ・ポート、ＵＥ固有ＲＳ（ポート５）
・モード８：シングル又はデュアルレイヤ送信、ＵＥ固有ＲＳ（ポート７及び／又は８）
・モード９：単一又は最大８層までの閉ループＳＵ−ＭＩＭＯ（リリース１０で追加）  ・モード１０：８層までのマルチレイヤ閉ループＳＵ−ＭＩＭＯ（リリース１０で追加）
【００５４】
以下で、セルラシステムにおいて通常使用されるダイバーシティ及び多重化方式、並びに、上述で概説されたＬＴＥで使用される具体的な方法を記載して、ＤＩＤＯ通信に特有な技術と比較する。最初に、２種類の伝送方法を特定する。ｉ）イントラセル方法（セルラシステムにおけるマイクロダイバーシティを利用）。１つのセルの中でリンク信頼性又はデータレートを改善するために複数のアンテナを用いる。ｉｉ）インターセル方法（マクロダイバーシティを利用）。更なるダイバーシティ又は多重化利得を提供するためにセル間の協調を可能にする。次に、本発明が先行技術に対して著しい利点（スペクトル容量利得を含む）を提供する方法を記載する。
【００５５】
１．イントラセルダイバーシティ方法
イントラセルダイバーシティ方法は、１つのセルの中で動作し、劣悪なリンク品質（例えば、中央塔又は基地局からの高い経路損失を受けるセル端のユーザ）を有するシナリオにおいてＳＮＲを増強するようになっている。ＭＩＭＯ通信において使用される代表的なダイバーシティ方式は、ビームフォーミング［５〜１１］及び直交空間時間ブロックコード（ＯＳＴＢＣ）［１２〜１５］である。
【００５６】
ＬＴＥ規格によってサポートされるダイバーシティ技術は、送信ダイバーシティ、閉ループランク−１プリコーディング、及び専用のビームフォーミング［３１〜３５］である。送信ダイバーシティ方式は、ダウンリンク（ＤＬ）上で、２つ又は４つの送信アンテナをサポートし、アップリンク（ＵＬ）に関しては、２つのアンテナをサポートする。それは、ＤＬチャネルにおいて、空間並びに周波数選択性を利用するために、周波数切換送信ダイバーシティ（ＦＳＴＤ）と組み合わされた空間周波数ブロック符号（ＳＦＢＣ）によって、実現される［３１］。ランク−１プリコーディングは、ユーザ機器（ＵＥ）から送受信基地局（ＢＴＳ、すなわち、ＬＴＥ用語を用いるとｅＮｏｄｅＢ）までのフィードバックのオーバーヘッドを低減するために、（制限されたフィードバック技術を用いて予めデザインされた［３６〜４２］）コードブックから選択される量子化された重みに基づいて、一人のユーザに専用のビームを生成する。あるいは、専用のビームフォーミングの重みを、ＵＥ固有の参照信号に基づいて計算することができる。
【００５７】
２．イントラセル多重化方法
ＭＩＭＯ多重化方式［１、１９］は、無線リンク上の複数の並列データストリームをサポートするために、高いＳＮＲレジームにおいて、及び、チャネルにおける十分な空間自由度を有するシナリオ（例えば、高い空間選択性［１６〜１８］を有する豊かなマルチパスの環境）において、データレートの利得を提供する。
【００５８】
ＬＴＥ規格は、シングルユーザＭＩＭＯ（ＳＵ−ＭＩＭＯ）及び複数ユーザＭＩＭＯ（ＭＵ−ＭＩＭＯ）のための種々の多重化技術をサポートする［３１］。ＳＵ−ＭＩＭＯ方式は、２つの動作モードを有する。ｉ）閉ループ。ＤＬプリコーディング重みを選択するためにＵＥからのフィードバック情報を利用する。ｉｉ）開ループ。ＵＥからのフィードバックが利用できないか、又は、閉ループ方式をサポートするには、ＵＥがあまりに速く移動しているときに使用。閉ループ方式は、コードブックから選択される一組の予め計算された重みを使用する。これらの重みは、ＵＥの要求及びＢＴＳのスケジューラの判断に応じて、２つ又は４つの送信アンテナ、並びに、１〜４つの並列のデータストリーム（プリコーディングマトリックスの層数によって特定される）をサポートすることができる。ＬＴＥ−Ａｄｖａｎｃｅｄは、空間処理によって、８倍までのスペクトル効率の増加を提供するために、最大ＭＩＭＯ  ８×８までの新しい伝送モードを含むことができる［６２］。
【００５９】
ＭＵ−ＭＩＭＯ方式は、ＵＬとＤＬチャネルの双方について規定されている［３１、５０］。ＵＬでは、あらゆるＵＥは、ＢＴＳに参照信号（Ｚａｄｏｆｆ−Ｃｈｕ系列［３３］を循環シフトさせたバージョンから成る）を送信する。それらの参照信号は、ＢＴＳがすべてのＵＥからのチャネルを推定し、空間処理によって、同時に複数のＵＥからのデータストリームを復調することができるように、直交している。ＤＬでは、種々のＵＥに関するプリコーディング重みは、ＵＥ及びスケジューラからのフィードバックに基づいて、コードブックから選択され（閉ループＳＵ−ＭＩＭＯ方式と同様に）、ランク−１プリコーディングだけがあらゆるＵＥについて可能となっている（例えば、各ＵＥは、１つのデータストリームだけを受信する）。
【００６０】
空間処理を使用しているイントラセル多重化技術は、高いＳＮＲ（又はＳＩＮＲ）及び高い空間選択性（マルチパスの豊富な環境）によって特徴づけられる伝搬シナリオにおいてのみ良好な性能を提供する。従来のマクロセルに関しては、これらの状況は、ＢＴＳがＵＥから通常は遠くて、ＳＩＮＲの分布は通常低い値に集中化するので、実現するのがより難しい可能性がある［４３］。これらのシナリオにおいて、ＭＵ−ＭＩＭＯ方式又はダイバーシティ技術は、空間多重化を有するＳＵ−ＭＩＭＯよりも良い選択であるかもしれない。
【００６１】
更なる多重化利得を実現する（ＭＩＭＯによる空間処理を必要とすることなく）ためにＬＴＥ−Ａｄｖａｎｃｅｄによって考えられる別の技術及びネットワークソリューションは、キャリアアグリゲーション（ＣＡ）及び小セルである。ＣＡ［３０、４４〜４７］は１００ＭＨｚ［８５］まで信号帯域幅を増強するためにＲＦスペクトルの異なる部分を組み合わせ、それによってより高いデータレートを与える。帯域内ＣＡは、スペクトルの同じ部分の範囲内で、異なる帯域を組み合わせる。したがって、それは多重チャネルについて同じＲＦチェーンを使うことができ、多重データストリームはソフトウェアにおいて再結合される。帯域間ＣＡは、スペクトルの異なる部分において動作することを異なるＲＦチェーンに要求し、並びに、異なる帯域から複数のデータストリームを再結合することを信号処理に要求する。
【００６２】
小セルの主要な考え［３０、４７］は、従来のマクロセルの大きさを低下させることであり、それによって、カバレージの領域につき、より高いセル密度、及び、より大きな処理能力を可能にする。小セルは、マクロセルに使用される背の高い高価なセルタワーと対照的に、通常は、低電力伝送（図１で表されるように）による安価なアクセスポイントを通して配備される。２種類の小セルがＬＴＥ−Ａｄｖａｎｃｅｄで定義されている。ｉ）メトロセル。都市地域における屋外設置用で、３２〜６４人の同時ユーザをサポートする。そして、ｉｉ）フェムトセル。屋内用であり、最大で４人のアクティブユーザの用に供することができる。小セルの１つの利点はＢＴＳの近くのＵＥの密度が統計的により高いということであり、それによって、データレートを増強するために空間多重化を通して利用することができるより良いＳＮＲを与える。しかし、小セルの実際的な配備に関して、なお多くの懸念、特にバックホールに関連した懸念がある。実際、高速の有線接続を通してあらゆる小セルのＢＴＳに届くことは、特に、所定のカバレッジ領域におけるメトロセル及びフェムトセルの高密度を考慮すると、挑戦的かもしれない。有線バックホールと比較して、見通しのある（ＬＯＳ）バックホールを小セルに使用することは安価に実現できることが多いが、好ましい小セルＢＴＳの配置について利用可能な実際的なＬＯＳバックホールパスのないことが多く、かつ、小セルＢＴＳへの見通しのない（ＮＬＯ）無線バックホールのための一般解がない。最後に、小セルは、自己組織化ネットワーク（ＳＯＮ）［３０、５１〜５２］におけるように、干渉を避けるために、ＢＴＳ間の複雑なリアルタイム協調を必要とし、それらの最適場所を計画するために、高度なセル計画ツール（小セルの高密度化により、従来のセルラシステムより更に複雑な）を必要とする［４８、４９］。
【００６３】
小セルがマクロセルと共存し、最適な又は必然的に更に改善されたスループットを実現することを可能にする実際的な一般解がないことは、自明に示すことができる。無数のそのような非可解状況の内の一つとして、そのＵＥがマクロセル伝送と不可避的に重なるように小セルが位置し、小セル及びマクロセルは、それぞれのＵＥに届くために同じ周波数を使用するという状況がある。この状況において明らかに、マクロセル伝送は小セル伝送と干渉することになる。特定のマクロセル、特定の小セル、関係する特定のマクロセル及び小セルＵＥ、それらのＵＥのスループット条件、並びに環境状況等、の特定の状況に関するそのような干渉を軽減する多少のアプローチがあるかもしれない。しかし、マクロセル及び小セルの静的な計画にとってだけでなく、特定の時間間隔の動的な状況にとっても、あらゆるそのようなアプローチは非常に特異である。通常は、各ＵＥに対するチャネルの完全なスループットは、実現することができない。
【００６４】
３．インターセルダイバーシティ方法
インターセル伝送技術は、ＢＴＳ間の協調がワイヤレスネットワークの性能を改善することを可能にする。これらの技術は、同時に全員が同じ周波数を使用している多重ＵＥのための分散アンテナネットワークの一般的なケースにおいて、無線送受信機間の協調を可能にするために関連特許及び出願［０００２〜００２０］で教示される方法の特例である。所定の周波数及び所定の時刻における単一のＵＥに関するセルラシステムの特定のケースについて、セル間干渉を除去するＢＴＳ間の協調について［５３］で記載した。［５３］におけるシステムは、あらゆるマクロセルを複数のサブセルに分割し、協調したＢＴＳからの専用のビームフォーミングを使用することによって、サブセル間の柔軟なハンドオフを可能にする。そして、協調したＢＴＳからの専用のビームフォーミングを使用することによって、単一のＵＥがサブセルの境界に沿って移動するときに、単一の周波数及び単一のＵＥにおけるリンクの堅牢性を改善する。
【００６５】
最近では、協調する無線セルラネットワークのこのクラスは、「ネットワークＭＩＭＯ（ＭＩＭＯ）」又は「協調マルチポイント」（ＣｏＭＰ）システムとして、ＭＩＭＯ文献において明確にされている。セル間干渉を除去することによってネットワークＭＩＭＯで得られる利益に関する理論的な分析及びシミュレーションされた結果は、［５４〜６１］に示される。ネットワークＭＩＭＯ及びＣｏＭＰの主要な利点は、図２に示されるセルのオーバラップ領域２０１〜２０３において、セル間干渉を除去することである。
【００６６】
ＣｏＭＰネットワークは、次世代セルラネットワークにおいてセル間干渉を軽減する解決策として、能動的にＬＴＥ−Ａｄｖａｎｃｅｄ規格の一部になりつつある［６２〜６４］。セル間干渉を除去するために、その規格において、２つのＣｏＭＰ解決策が今までに提案された。ｉ）協調したスケジューリング／ビームフォーミング（ＣＳ／ＣＢ）。ＵＥはビームフォーミングによって、１つのＢＴＳだけからのデータストリームを受信し、ＢＴＳ間の協調が、ビームフォーミング又はスケジューリング技術によって、干渉を除去するために可能にされる。ｉｉ）結合処理（ＪＰ）。所定のＵＥ（ＵＥ）のためのデータは、受信された信号品質を改善しセル間干渉を除去するために、複数のＢＴＳから共同で送信される。ＣｏＭＰ−ＪＰは、ＢＴＳ間の協調を可能にするために、バックホールにおいてより高いオーバーヘッドを犠牲にして、ＣｏＭＰ−ＣＳ／ＣＢより大きな利得をもたらす。
【００６７】
４．インターセル多重化方法
先行技術の複数ユーザ無線システムは、無線ネットワークに複雑さを追加し、制約を導入し、結果として、その領域における別のユーザによるスペクトルの利用によって、所定のユーザの経験（例えば利用可能なスループット、遅延、予測性、信頼性）が影響を受ける状況になる。複数ユーザと共有する無線スペクトル内のスループットの総計に対する増加する要求、並びに、所定のユーザに関する複数ユーザ無線ネットワークの信頼性、予測性及び低遅延に依存することができるアプリケーションの成長の増加を考慮すると、先行技術の複数ユーザ無線技術が多くの制約を被ることは明らかである。確かに、特定の種類の無線通信（例えば、建物の壁を貫通するのに有効な波長における）に適切なスペクトルの制限された可用性に関して、先行技術の無線技術は、信頼性が高く予測可能で低遅延である帯域幅に対する増加する要求に応ずるには不十分であろう。
【００６８】
先行技術のイントラセルダイバーシティ及び多重化方法は、ＬＴＥ（ＬＴＥ）に関する現行のセルラネットワーク（ＭＩＭＯ  ４×４による）上のスループットにおいて、理論的に最大で４倍の増加、ＬＴＥ−Ａｄｖａｎｃｅｄ（ＭＩＭＯ  ８×８による）に関しては、多くても理論的に８倍を提供することができるだけである。なお、高次のＭＩＭＯに関しては、所定のマルチパス環境において、特に（スマートフォンなどの）ＵＥがより小さくなり、アンテナ配置に関してより拘束されるようになるにつれて、スループットの増加に関する改善効果は減少する。次世代セルラシステムにおける他のわずかなスループット利得は、キャリアアグリゲーション技術によって利用される更なるスペクトル割当て（例えば、ＦＣＣ全米ブロードバンド計画）、及び小セルネットワーク及びＳＯＮによるＢＴＳのより高密度の分布から得られるかもしれない［３０、４６］。しかし、空間処理によって得られるスペクトル効率利得が制限されるので、すべての上述の技術は、複数ユーザ伝送を可能にするスペクトル又は時間の共有技術にまだ非常に依存している。
【００６９】
先行技術のインターセル方法（例えば、ネットワークＭＩＭＯ及びＣｏＭＰシステム［５３〜６４］）は、セル間干渉を除去することによってセルラネットワークの信頼性を改善することができるが、それらの容量利得はほんの少しだけである。実際、それらのシステムは、セル境界の範囲内に含まれるあらゆるＢＴＳから送信される電力を制約して、セル間の電力漏洩によるセル間干渉を除去するために有効なだけである。図２は、３つのＢＴＳ  ２１０〜２１２を有するセルラネットワークの１つの例を示し、それぞれが自分自身のカバレッジ領域又はセルで特徴づけられる。各ＢＴＳ  ２１０〜２１２から送信される電力は、セルが重なる領域によって図２で表されるセル間の干渉の量を制限するために、制約される。これらのシステムは、干渉領域における低ＳＩＮＲレジームにおいて動作するので、ＳＵ−ＭＩＭＯに関するイントラセル方式と同様に、それらのスペクトル効率の利得はほんの少しだけである。インターセル協調ネットワークにおいて真に著しい容量利得を得るために、セル−境界に限られている電力制限は、緩和されなければならない。そして、空間多重化技術が、ＳＩＮＲの高い（従来のアプローチにおけるような、ちょうど劣悪なＳＩＮＲ性能を有するセル端ではなく）セルの全体を通じて可能にされなければならない。
【００７０】
したがって、分散されたＢＴＳから送信される電力上のあらゆる制約を除去すること、及び、空間処理によってセル間多重化利得を利用することにより、スペクトル効率の大規模な増加を実現するシステムを提供することが望ましい。図３は、３つのＢＴＳ  ３０１〜３０３のすべてから同じ周波数で同時に送信された電力が増大され、それによって、セルの全体を通じて高水準の干渉を可能にする。先行技術システムにおいて、そのような干渉は、ＢＴＳの干渉領域の全体を通じて、インコヒーレント干渉（ＵＥ信号受信を阻害する）をもたらすが、この干渉は、実は新しいセル間多重化方法による本発明の実施形態において利用される。この方法は、あらゆるＵＥのまわりでコヒーレント干渉（ＵＥ信号受信を強化する）の領域を生成するために空間処理を使用し、それによって、同時に非干渉データストリームをあらゆるＵＥに提供して、セルを通してそれらのＳＩＮＲを増大する。
【００７１】
本発明の例示的な実施形態において、このセル間多重化利得は、分散入力分散出力（ＤＩＤＯ）システム［００１４〜００２０］及び［７７〜７８］によって実現される。図４は、１つの多くの更なるアクセスポイント４０１がセルの全体を通じて故意にインコヒーレント干渉のレベルを増大するために追加される例を示す。それは、ＵＥのまわりでコヒーレント干渉の領域を生成して、セル間多重化利得を与えるために、本発明において利用される。それらの付加されたＢＴＳは、安価なＷｉ−Ｆｉアクセスポイントに類似した低電力送受信機とすることができ、それによって、図４に示すように、マクロセルの中で重なりあうカバレージのより小さな領域を提供する。
【００７２】
先行技術のセル間方法が、図２のようなあらゆるＢＴＳ  ２１０〜２１２からの送信電力を故意に制限することによって、インコヒーレント干渉を避け、空間処理によって残りのセル間干渉（セル間のオーバラップ領域に関する）を除去し、それによって、改善されたＳＩＮＲ及びセル間のダイバーシティ利得を提供することが分かる。一方、本発明は、ＵＥのまわりでコヒーレント干渉を生成するために、あらゆるＢＴＳからより高い電力を送信することによって、インコヒーレント干渉を利用する。これによって、空間処理によりセルにわたってセル間多重化利得を得るための必要条件であるＵＥにおける信号品質を改善する。したがって、（ＢＴＳからの制限された送信電力により）セルを通して、本発明のようなセル間多重化方法を可能にする十分な信号品質がないので、先行技術に記載されるシステムは、空間処理によるセル間多重化利得を実現するために使用することはできない。更に、先行技術に記載されるシステムは、先行技術のシステムが、本発明で実現されるセル間多重化利得を得るために、多重化領域でセル間干渉を利用するよりはむしろ、図１〜４の陰影のついた領域に示されるダイバーシティ領域の中で、セル間干渉を避けるようになっていることを考慮すると、図３〜４に表される本発明で実現される多重化利得を実現するように実施することは不可能である。
【００７３】
本発明の実施形態は、無線通信ネットワークの空間処理によるセル間多重化利得を利用するシステム及び方法を含み、複数ユーザ（ＭＵ）送信を有する複数アンテナシステム（ＭＡＳ）（複数ユーザ複数アンテナシステム、即ち「ＭＵ−ＭＡＳ」）を使用する。本発明の一実施形態において、複数のアンテナから送信される電力は、セル境界（従来のセルラシステムのような）における干渉を最小にするように制約され、セル間干渉を除去するだけのために、空間処理方法が使用される。本発明の別の実施形態において、多重アンテナから送信される電力は、あらゆる特定の電力レベル（それらの電力放出レベルが規制又は安全性限界に入る限り）に制約されない。それによって、セルを通して故意に高次のセル間干渉を生成して、セル間多重化利得を実現するために利用し、無線通信ネットワークの容量を増大する。
【００７４】
一実施形態において、無線通信ネットワークは、ＬＴＥ規格に基づいたセルラネットワークなどの、図１〜２のようなセルラネットワークである。本発明の別の実施形態において、無線通信ネットワークはあらゆる特定のセルレイアウトに拘束されず、セル境界は、図３〜４のようなより大きな領域一面に広がることができる。例えば無線通信ネットワークは、無線ローカルエリアネットワーク（ＷＬＡＮ）、又はメッシュ、アドホック若しくはセンサネットワーク、又は分散アンテナ方式、又はあらゆる送信電力制限なしで偶然に配置されたアクセスポイントを有するＤＩＤＯシステムである可能性がある。しかし、そのようなネットワーク構造例は、本発明の無線通信ネットワークへの一般的な適用を制限するものとして考慮されてはならない。本発明は、複数のアンテナからの信号を送信することによって、多重化利得が実現されるようなあらゆる無線ネットワークに適用する。その信号は、複数のＵＥによって受信される所で干渉し、複数のＵＥへの同時非干渉データストリームを生成する。
【００７５】
図９に説明されるように、ＭＵ−ＭＡＳの一実施形態は、集中型プロセッサ９０１、基地局ネットワーク（ＢＳＮ）９０２、及びＮ個のクライアントデバイスに無線で通信するＭ個の送受信基地局（ＢＴＳ）９０３、とから成る。クライアントデバイスは、ユーザ機器ＵＥ（ＵＥ  １〜４として説明される）とも呼ばれる。集中型プロセッサユニット９０１は、様々なネットワークコンテンツＣ１〜５に関して、種々のクライアントデバイスＵＥ  １〜４について意図されたネットワーク９００（例えば、インターネット）上のＮ本の情報のストリーム（例えば、ビデオ、ウェブページ、ビデオゲーム、テキスト、音声等、ウェブサーバ又は他のネットワークソースからのストリーム）を受信する。以下で、我々は、ネットワーク９００上で送信されるデータのあらゆるストリームに言及するために、「情報のストリーム」という語を使用する。それは、音声、ウェブとビデオコンテンツを含むがこれに限らずあらゆるデータを生成するために、特定の変調／符号方式又はプロトコルに従って、独立型ストリームのように復調できるか復号化できる情報を含む。一実施形態において、情報のストリームは、独立型ストリームのように復調されることができるか、復号化されることができるネットワークコンテンツを運ぶ一連のビットである。
【００７６】
集中型プロセッサ９０１は、ネットワークコンテンツからのＮ本の情報のストリームを組み合わせて、（関連特許及び出願に記載されたようなアルゴリズムによって）Ｍ本のビットのストリームに変換するプリコーディング変換を利用する。例としてであり限定するものではないが、プリコーディング変換は、線形（例えば、ゼロフォーシング［６５］、ブロック対角化［６６〜６７］、行列反転等）とすることができる。又は、非線形（例えば、ダーティペーパコーディング［６８〜７０］又はトムリンソン−原島プリコーディング［７１〜７２］、格子技術又はトレリスプリコーディング［７３〜７４］、ベクトル摂動技法［７５〜７６］）とすることもできる。以下で、情報の何らかの有用なビットを必ずしも含むというわけではないビットの任意のシーケンスに言及する「ビットのストリーム」という語を使用するので、したがって、ネットワークコンテンツを読み出すために、独立型ストリームとして、復号化するか又は復調することができない。本発明の一実施形態において、ビットのストリームは、集中型プロセッサによって生成される複雑なベースバンド信号であり、所定ビット数に量子化されて、Ｍ個の送受信基地局の１つに送信される。
【００７７】
一実施形態において、ＭＡＳは、関連特許及び出願に記載されるような分散入力分散出力（ＤＩＤＯ）システムである。この実施形態において、ＤＩＤＯシステムは、以下から成る。
・ユーザ機器（ＵＥ）１〜４：固定又はモバイルクライアント用のＲＦトランシーバであって、ＤＩＤＯバックホールからのダウンリンク（ＤＬ）チャネル上でデータストリームを受信し、アップリンク（ＵＬ）チャネルを介してＤＩＤＯバックホールへデータを送信する。
・送受信基地局（ＢＴＳ）９０３：ＢＴＳは、ＤＩＤＯバックホールを無線チャネルに接続する。一実施形態のＢＴＳは、ＤＡＣ／ＡＤＣ及びベースバンド信号をＲＦに変換する無線周波数（ＲＦ）チェーンから成るアクセスポイントである。場合によっては、ＢＴＳは、電力増幅器／アンテナを備える簡素なＲＦトランシーバであり、ＲＦ信号は、関連特許及び出願に記載されたＲＦオーバーファイバ技術によって、ＢＴＳへ運ばれる。
・コントローラ（ＣＴＲ）９０５：ＣＴＲ  ９０５は、下記の特定の特殊な機能のために設計されたＢＴＳの１つの特定のタイプである。その機能とは、ＢＴＳ及び／又はＵＥの時間／周波数同期用のトレーニング信号を送信すること、制御情報をＵＥから受信し、ＵＥへ送信すること、そして、ＵＥからチャネル状態情報（ＣＳＩ）又はチャネル品質情報を受信することである。一つ以上のＣＴＲ局は、任意のＤＩＤＯシステムに含めることができる。複数のＣＴＲが利用可能であるとき、それらの局への、又はそれらからの情報はダイバーシティを増大して、リンク品質を改善するために組み合わせることができる。一実施形態において、ＣＳＩ復調を改善する最大比合成（ＭＲＣ）技術によって、ＣＳＩは複数のＣＴＲから受信される。別の実施形態では、制御情報は、受信機側におけるＳＮＲを改善するために、最大比伝送（ＭＲＴ）によって複数のＣＴＲから送信される。発明の範囲は、ＭＲＣ又はＭＲＴに限られておらず、ＣＴＲとＵＥの間の無線リンクを改善するために、任意の他のダイバーシティ技術（例えばアンテナ選択等）を使用することができる。
・集中型プロセッサ（ＣＰ）９０１：ＣＰは、ＤＩＤＯバックホールとインターネット又は別の種類の外部ネットワークを接続するＤＩＤＯサーバである。一実施形態において、ＣＰはＤＩＤＯベースバンド処理を計算して、ＤＬ伝送により、分散したＢＴＳに波形を送信する。
・基地局ネットワーク（ＢＳＮ）９０２：ＢＳＮは、ＤＬ又はＵＬチャネルのいずれについて情報を運ぶ分散したＢＴＳにＣＰを接続するネットワークである。ＢＳＮは、有線若しくは無線ネットワーク、又は双方の組合せである。例えば、ＢＳＮはＤＳＬ、ケーブル、光ファイバーネットワーク、又は見通し内（ＬＯＳ）若しくは見通し外（ＮＬＯ）無線リンクである。更に、ＢＳＮは固有ネットワーク、又はローカルエリアネットワーク、又はインターネットである。
【００７８】
以下で、上述のＤＩＤＯシステム枠組みが、スペクトル効率の付加的な利得を実現するために、セルラシステム（更に、ＬＴＥプロトコルを利用する非セルラシステム）に関するＬＴＥ規格に組み込むことができる方法を記載する。ＬＴＥ枠組みの一般的な概要並びにＤＬ及びＵＬチャネルで使用される変調方式から始める。その次に、ＬＴＥ規格における物理レイヤフレーム構造及びリソース配分の簡単な説明を行う。最後に、我々は、ＬＴＥ枠組みを使用する複数ユーザのシナリオで、ダウンリンク（ＤＬ）及びアップリンク（ＵＬ）チャネルに関するＤＩＤＯプリコーディング方法を明確に述べる。ＤＬ方式に関しては、２つの解決策である、開ループ及び閉ループＤＩＤＯ方式を提案する。
【００７９】
ＬＴＥは、（以前のセルラ規格による階層アーキテクチャとは対照的に）フラットネットワークアーキテクチャによって設計され、以下を提供する。即ち、低減した遅延、ＡＲＱにより低減したパケット損失、低減したコールセットアップ時間、マクロダイバーシティにより改善されたカバレージ及びスループットである。図５に表されるＬＴＥネットワークにおけるネットワーク要素は、以下の通りである［７９］。
・ＧＷ（ゲートウェイ）５０１〜５０２：ＬＴＥネットワークを外部ネットワーク（すなわち、インターネット）に接続するルータである。ＧＷは、Ｅ−ＵＴＲＡＮインターフェースの境界をなすサービングゲートウェイ（Ｓ−ＧＷ）５０２及び外部ネットワークとのインターフェースであるＰＤＮゲートウェイ（Ｐ−ＧＷ）５０１に分けられる。Ｓ−ＧＷ  ５０２及びＰ−ＧＷ  ５０１は、いわゆる進化型パケットコア（ＥＰＣ）の一部である。
・ＭＭＥ（モビリティ管理エンティティ）５０３：移動性、保護パラメーター及びＵＥアイデンティティを管理する。ＭＭＥ  ５０３は、更にＬＴＥ  ＥＰＣの一部である。
・ｅＮｏｄｅＢ（強化されたＮｏｄｅ−Ｂ）５０４：無線リソース管理、ユーザ移動性とスケジューリングを取り扱う基地局である。
・ＵＥ（ユーザ機器）５０５：移動局である。
【００８０】
本発明の一実施形態では、ＤＩＤＯ−ＵＥがＬＴＥネットワークのＵＥである場合に、ＬＴＥネットワークは、ＤＩＤＯネットワークであり、ＤＩＤＯ−ＢＴＳは、ＬＴＥ  ｅＮｏｄｅＢであり、ＤＩＤＯ−ＣＴＲは、ＬＴＥ  ｅＮｏｄｅＢ又はＭＭＥであり、ＤＩＤＯ−ＣＰは、ＬＴＥ  ＧＷである。
【００８１】
図６Ａ〜図６Ｃに表されるように、ＬＴＥフレームは１０ミリ秒の持続時間を有し、１０のサブフレームから成る［３３、８０］。どのサブフレームも、それぞれ０．５ミリ秒の持続時間の２つのスロットに分割される。ＬＴＥ規格は、２種類のフレームを定める。ｉ）図６ＡのようなＦＤＤ動作に関するタイプ１。すべてのサブフレームがダウンリンク（ＤＬ）又はアップリンク（ＵＬ）チャネルのいずれに割り当てられる。ｉｉ）図６ＢのようなＴＤＤ動作に関するタイプ２。サブフレームの一部はＤＬに割り当てられ、一部はＵＬに割り当てられる（選択された構成による）が、２、３のサブフレームは「特別な使用」のために確保される。フレームごとに、少なくとも１つの特別なサブフレームがあり、それは３つのフィールドから成る。ｉ）ＤＬ伝送用に確保されるダウンリンクパイロットタイムスロット（ＤｗＰＴＳ）。ｉｉ）ガード期間（ＧＰ）。ｉｉｉ）ＵＬ伝送用のアップリンク・パイロット・タイムスロット（ＵｐＰＴＳ）。
【００８２】
ＬＴＥは、ＤＬに関しては、直交周波数分割多重（ＯＦＤＭ）及び直交周波数分割多重アクセス（ＯＦＭＤＡ）変調を使用し、ＵＬに関しては、シングルキャリアＦＤＭＡ（ＳＣ−ＦＤＭＡ）を使用する。「リソースエレメント」（ＲＥ）は、ＬＴＥにおける最小の変調構造であり、図７に示すように、周波数における１つのＯＦＤＭサブキャリア及び時間における１つのＯＦＤＭシンボル期間から成る。「リソースブロック」（ＲＢ）は、周波数における１２個のサブキャリア及び時間における１つの０．５ミリ秒のスロット（３〜７つのＯＦＤＭシンボル期間からなる、ＤＬ対ＵＬチャネル及び巡回プリフィックスのタイプによる）から構成されている。
【００８３】
１．ＬＴＥにおけるダウンリンク閉ループＤＩＤＯ
ＤＩＤＯ閉ループ方式は、時分割複信（ＴＤＤ）又は周波数分割複信（ＦＤＤ）システムのいずれでも使うことができる。ＦＤＤシステムでは、ＤＬ及びＵＬチャネルは、異なる周波数で動作する。したがって、ＤＬチャネル状態情報（ＣＳＩ）は、ＵＥ側において推定しなければならず、ＵＬチャネルにより、ＢＴＳ又はＣＴＲを介して、ＣＰに折り返して報告しなければならない。ＴＤＤシステムにおいて、ＤＬ及びＵＬチャネルは、同じ周波数で設定し、システムは、チャネル相互性を利用して、閉ループ技術又は開ループ方式のいずれを使用してもよい（以下の節で記載するように）。閉ループ方式の主要な短所は、それらがフィードバックを必要とするということであり、これによって、ＵＬ上の制御情報について、より大きなオーバーヘッドをもたらす。
【００８４】
ＤＩＤＯシステムにおける閉ループ方式に関する仕組みの一実施形態は、以下の通りである。ｉ）ＢＴＳ  ９０３がＤＬによりＵＥにシグナリング情報を送信する。ｉｉ）ＵＥは、すべての「アクティブＢＴＳ」からのＤＬチャネル状態情報（ＣＳＩ）を推定するために、そのシグナリング情報を利用する。ｉｉｉ）ＵＥは次の伝送に使用するプリコーディング重みを選択するために、ＤＬ  ＣＳＩを量子化するか又はコードブックを使用する。ｉｖ）ＵＥは、ＵＬチャネルを通して、量子化されたＣＳＩ又はコードブックインデックスを、ＢＴＳ  ９０３又はＣＴＲ  ９０５に送信する。ｖ）ＢＴＳ  ９０３又はＣＴＲ  ９０５は、ＣＳＩ情報又はコードブックインデックスをＣＰ  ９０１に報告し、ＣＰ  ９０１はＤＬ上のデータ伝送に関するプリコーディング重みを計算する。「アクティブＢＴＳ」は、所定のＵＥによって到達できる１組のＢＴＳとして定義される。例えば、関連する同時係属中の「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」と題する米国特許出願第１２／８０２，９７４号、そして、関連する同時係属中の「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」と題する米国特許出願第１２／９１７，２５７号において、「ユーザクラスタ」は、所定のＵＥによって到達できる１組のＢＴＳとして定義した。アクティブＢＴＳの数は、ＢＴＳから所定のＵＥに対して推定されるＣＳＩの量を低減するために、ユーザクラスタに限られており、それによって、ＵＬ上のフィードバックオーバーヘッド及びＣＰ  ９０１におけるＤＩＤＯプリコーディング計算の複雑さを低減する。
【００８５】
１．１  ＬＴＥ規格内でのダウンリンクＤＩＤＯシグナリング
ＬＴＥ規格は、閉ループ方式のＤＬシグナリングについて使用することができる２種類の参照信号（ＲＳ）を定める［３３、５０、８２〜８３］。ｉ）セル固有の参照信号（ＣＲＳ）。ｉｉ）チャネル状態情報（ＣＳＩ）参照信号（ＣＳＩ−ＲＳ）、及び復調ＲＳ（ＤＭ−ＲＳ）などのＵＥ固有のＲＳ。セル固有のＲＳはプリコーディングされないが、ＵＥ固有のＲＳはプリコーディングされる［５０］。ＣＲＳは、どのセルも最大４つのアンテナを使用する、ＳＵ／ＭＵ−ＭＩＭＯコードブックに基づく技術を用いるＬＴＥリリース８に使用される。ＬＴＥ−Ａｄｖａｎｃｅｄリリース１０は、非コードブックに基づくＳＵ／ＭＵ−ＭＩＭＯ方式をサポートし、最大８つの送信アンテナ並びにＣｏＭＰ方式を使用し、アンテナは異なるセル上に分散されている。したがって、リリース１０はＣＳＩ−ＲＳによる柔軟なシグナリング方式を可能にする。本発明において、プリコーディングを可能にするために、ＤＩＤＯシステムにおいて、シグナリング方式のいずれのタイプをどのように使用することができるのかを記載する。
【００８６】
１．１．１  ＣＲＳを用いたＤＩＤＯシグナリング
ＣＲＳは、ＵＥにおけるすべての送信アンテナからＢＴＳへのＣＳＩを推定するために、ＬＴＥ（リリース８）システムで使用される［８０、８４］。ＣＲＳは、二次元の直交シーケンスと二次元の疑似乱数（ＰＲＮ）シーケンスの積として得られる。合計５１０の異なるＣＲＳシーケンスについて、３つの直交及び１７０の可能なＰＲＮシーケンスがある。どのシーケンスも、１つのセルを一意的に特定する。ＣＲＳは、すべてのスロットの第１及び最後から３番目のＯＦＤＭシンボル、並びに６番目ごとのサブキャリアの中で送信される。時間と周波数の直交パターンは、ＵＥが４つのアンテナの各々からのＣＳＩを一意的に推定するために、ＢＴＳのあらゆる送信アンテナに関して設計される。時間及び周波数において（つまり、すべての０．５ミリ秒のスロットごと、及び第６のサブキャリアごとに送信）この高密度のＣＲＳは、５％のオーバーヘッドを生成し、時間及び周波数について高速チャネル変動を伴うシナリオをサポートするために意図的に設計されたものである［８３］。
【００８７】
実際のＤＩＤＯシステムでは、すべてのＵＥが、そのユーザがクラスタ内のただの４つよりも多いＢＴＳを認める場合があり得る。例えば、図８は、カリフォルニア州サンフランシスコ市中心部のＤＩＤＯシステムの実際的な配備に関するＳＮＲ分布を示す。伝搬モデルは３ＧＰＰ経路損失／シャドウイングモデル［８１］に基づいており、９００ＭＨｚのキャリア周波数を想定している。地図のドットは、ＤＩＤＯ−ＢＴＳの場所を示す一方、黒丸は、ユーザクラスタ（ＵＥは円の中心に位置する）を示す。過疎地域に、ＵＥはそのユーザクラスタ（例えば、図８の例については、わずか３つのＢＴＳ）の中で、ただ２、３のＢＴＳだけを認めるが、その一方で、人口密集地域では、各ユーザクラスタは、図８のような２６ものＢＴＳを含むことができる。
【００８８】
ＣＲＳの高い冗長性は、４より大きな任意の数の送信アンテナからのＣＳＩ推定を可能にするために、ＤＩＤＯシステムで利用することができる。例えば、チャネルが固定された無線か又は低ドップラー効果によって特徴づけられるならば、すべての４つの送信アンテナからのＣＳＩを０．５ミリ秒（スロット持続時間）おきに計算する必要はない。同様に、チャネルが周波数フラットであるならば、第６のサブキャリアごとにＣＳＩを推定することは冗長である。その場合、冗長なＣＲＳによって占められるリソースエレメント（ＲＥ）は、ＤＩＤＯシステムにおける別の送信アンテナ又はＢＴＳに再配分することができる。本発明の一実施形態では、システムは、冗長なＣＲＳのリソースエレメントを、ＤＩＤＯシステムにおける余分のアンテナ又はＢＴＳに割り当てる。別の実施形態では、システムはチャネルの時間及び周波数選択性を推定し、異なるＢＴＳか又はユーザクラスタ内のＢＴＳのみに関するＣＲＳを、異なるリソースエレメントに動的に割り当てる。
【００８９】
１．１．２  ＣＳＩ−ＲＳ及びＤＭ−ＲＳを用いたＤＩＤＯシグナリング
ＬＴＥ−Ａｄｖａｎｃｅｄ（リリース１０）規格に、ＣＳＩ−ＲＳは、ＢＴＳからのＣＳＩを推定するために、あらゆるＵＥによって使用される［３３、８３］。規格はＢＴＳにおける異なる送信器のための直交ＣＳＩ−ＲＳを定めることにより、ＵＥは異なるＢＴＳからのＣＳＩを区別することができる。ＢＴＳにおける最大で８つの送信アンテナは、［３３］の表６．１０．５．２−１、２のように、ＣＳＩ−ＲＳによってサポートされる。ＣＳＩ−ＲＳは、［３３］の表６．１０．５．３−１のように、５〜８０のサブフレームにわたる周期性（即ち、ＣＳＩ−ＲＳは、５〜８０ミリ秒ごとに送信される）をもって送信される。ＬＴＥ−ＡｄｖａｎｃｅｄのＣＳＩ−ＲＳの周期性は、制御情報の過度のオーバーヘッドを避けるために、特にこれらの余分のリソースを使用することができない従来のＬＴＥ端末に関して、ＬＴＥのＣＲＳより故意に大きく設計された。ＣＳＩ推定のために使用される別の参照信号は復調ＲＳ（ＤＭ−ＲＳ）である。ＤＭ−ＲＳは、固有のＵＥに意図された復調参照信号であり、そのＵＥへの送信のために割り当てられたリソースブロックの中に入れて、送信されるだけである。
【００９０】
８つ（ＬＴＥ−Ａｄｖａｎｃｅｄ規格によってサポートされる送信器の最大数）を超えるアンテナがユーザクラスタの中にあるとき、ＬＴＥ−Ａｄｖａｎｃｅｄ規格へのシステム適合性を維持する一方で、ＤＩＤＯプリコーディングを可能にするために、代替の技術を使用しなければならない。発明の一実施形態では、どのＵＥも、それ自身のユーザクラスタにおけるすべてのアクティブＢＴＳからのＣＳＩを推定するために、ＣＳＩ−ＲＳ又はＤＭ−ＲＳ又はその組合せを使用する。同じ実施形態で、ＤＩＤＯシステムは、ユーザクラスタ中のＢＴＳの数を検出し、そして、ユーザクラスタがＬＴＥ−Ａｄｖａｎｃｅｄ規格（最大で８つのアンテナをサポートする）に準拠しているかどうかを検出する。準拠していないならば、ＤＩＤＯシステムは、ＢＴＳから現行のＵＥへのＤＬシグナリングを可能にするために、代替の技術を使用する。一実施形態において、最大で８つのＢＴＳがそのユーザクラスタ中のＵＥによって届くようになるまで、ＢＴＳからの送信電力は低減される。しかし、この解決策は、カバレージが低減するので、データレートの減少をもたらす可能性がある。
【００９１】
別の解決策は、ユーザクラスタ内のＢＴＳをサブセットに分割して、同時にすべてのサブセットに関する１組のＣＳＩ−ＲＳを送信することである。例えば、ＣＳＩ−ＲＳの周期性が［３３］の表６．１０．５．３−１のような５つのサブフレーム（すなわち、５ミリ秒）であるならば、５ミリ秒おきに、ＣＳＩ−ＲＳは、ＢＴＳの新しいサブセットから送信される。この解決策は、ＣＳＩ−ＲＳ周期性が、ＵＥのチャネルコヒーレンス時間（ＵＥのドップラ速度の関数である）内に、すべてのＢＴＳサブセットにわたるのに十分短い限り、機能する点に注意されたい。例えば、選択されたＣＳＩ−ＲＳ周期性が５ミリ秒で、チャネルコヒーレンス時間が１００ミリ秒であるならば、各々８つのＢＴＳのサブセットを２０個まで定め、ユーザクラスタ中で合計１６０個のＢＴとすることは可能である。発明の別の実施形態では、ＤＩＤＯシステムは、ＵＥのチャネルコヒーレンス時間を推定し、所定のＣＳＩ−ＲＳ周期性に関して、チャネル変動及びドップラー効果による劣化を避けるために、ユーザクラスタの中でどれくらいのＢＴＳをサポートすることができるかについて決定する。
【００９２】
今までに提案されたＣＳＩ−ＲＳのための解決策は、ＬＴＥ規格にすべて準拠し、従来のＬＴＥシステムの枠組みの中で、配備することができる。例えば、ユーザクラスタにつき８つを超えるアンテナを可能にする提案方法は、ＵＥ  ＬＴＥのハードウェア及びソフトウェア実装の修正を必要とせず、いつでもＢＴＳサブセットの選択を可能にするために、ＢＴＳ及びＣＰで使用されるプロトコルのわずかな修正だけを必要とする。これらの修正は、クラウドベースのソフトウェア無線（ＳＤＲ）プラットホームに簡単に実装することができ、それはＤＩＤＯシステムに関する１つの有望な配備パラダイムである。あるいは、もしＬＴＥ規格の制約を緩和し、ＬＴＥに類似するがＬＴＥに準拠しないＤＩＤＯ動作モードをサポートするために、ＬＴＥ  ＵＥに関するわずかに修正されたハードウェア及びソフトウェアを開発することが可能であるならば、ＵＥが全ＬＴＥ準拠モードか、又は非ＬＴＥ準拠のＤＩＤＯ動作をサポートする修正されたモードで動作することを可能にする。例えば、別の解決策は、システムにおけるより多数のＢＴＳを可能にするために、ＣＳＩ−ＲＳの量を増大することである。発明の別の実施形態では、異なるＣＳＩ−ＲＳパターン及び周期性が、ユーザクラスタごとにサポートされたＢＴＳの数を増大する手段として可能である。ＬＴＥ規格へのそのようなわずかな修正は十分に小さい可能性があるので、既存のＬＴＥ  ＵＥチップセットを、単にソフトウェア修正によって使用することができる。又は、ハードウェア修正がチップセットに必要であるとしても、その変更は小さいであろう。
【００９３】
１．２  ＬＴＥ規格内でのアップリンクＤＩＤＯ  ＣＳＩフィードバック方法
ＬＴＥ及びＬＴＥ−Ａｄｖａｎｃｅｄ規格では、ＵＥは、その現行のチャネル状況並びにＤＬチャネル上の閉ループ送信に関するプリコーディング重みを通信するために、ＢＴＳへ情報をフィードバックする。３つの異なるチャネル指標がそれらの規格に含まれる［３５］。
・ランク指標（ＲＩ）：いくつの空間ストリームが所定のＵＥへ送信されるかについて示す。この数は、常に、送信アンテナの数と等しいか又は少ない。
・プリコーディングマトリックス指標（ＰＭＩ）：ＤＬチャネル上のプリコーディングに使用されるコードブックのインデックス。
・チャネル品質指標（ＣＱＩ）：ＤＬ上で使用される変調、及び、所定のチャネル状況に関する定義済み誤り率性能を維持するために、前方向誤り訂正（ＦＥＣ）符号方式を定める。
【００９４】
ただ１つのＲＩが全帯域幅について報告されるのに対して、ＰＭＩ及びＣＱＩの報告は、チャネルの周波数選択性に応じて、広帯域又はサブバンドごととすることができる。これらの指標は、２種類の異なる物理チャネル上のＵＬで送信される。ｉ）物理アップリンク制御チャネル（ＰＵＣＣＨ）。制御情報のためにのみ使用。ｉｉ）物理アップリンク共有チャネル（ＰＵＳＣＨ）、データ及び制御情報のために使用され、１つのリソースブロック（ＲＢ）に対して、及び、サブフレームベースで割り当てられる。ＰＵＣＣＨに関して、ＲＩ、ＰＭＩ及びＣＱＩを報告する手順は周期的であり、指標は広帯域である（周波数平坦なチャネルについて）か、又は、サブバンドベースでＵＥごとに選択されるか（周波数選択性チャネルに関して）いずれでもよい。ＰＵＳＣＨに関しては、フィードバック手順は非周期的であり、サブバンドベース（周波数選択性チャネルについて）か、又は、上位層構成されたサブバンド（例えば、８つの送信器によるＬＴＥ−Ａｄｖａｎｃｅの伝送モード９に関する）で、ＵＥごとに選択することができる。
【００９５】
本発明の一実施形態において、ＤＩＤＯシステムは、現行のチャネル状況、並びに、プリコーディング情報をＢＴＳ及びＣＰへ報告するために、ＲＩ、ＰＭＩ及びＣＱＩを使用する。一実施形態では、ＵＥは、それらの指標をＣＰへ報告するために、ＰＵＣＣＨチャネルを使用する。別の実施形態では、更に多くの指標がＤＩＤＯプリコーディングのために必要な場合には、ＵＥは、ＣＰへの付加的な指標を報告するために、ＰＵＳＣＨを使用する。チャネルが周波数フラットである場合には、ＵＥは、ＤＩＤＯシステムにおける更に多くのアンテナに関するＰＭＩを報告するために、余分のＵＬリソースを利用することができる。発明の一実施形態では、ＵＥ又はＢＴＳ又はＣＰは、チャネル周波数選択性を推定し、チャネルが周波数フラットである場合には、ＵＥは、より多くのＢＴＳに関するＰＭＩを報告するために、余分のＵＬリソースを利用する。
【００９６】
２．ＬＴＥにおけるダウンリンク開ループＤＩＤＯ
ＤＩＤＯ開ループ方式は、チャネル相互性を利用する時分割複信（ＴＤＤ）システムで、使用することができるだけである。ＤＩＤＯシステムにおける開ループ方式に関する仕組みの一実施形態は、以下の通りである。ｉ）ＵＥ  １〜４は、ＵＬ上で、ＢＴＳ  ９０３又はＣＴＲ  ９０５へシグナリング情報を送信する。ｉｉ）ＢＴＳ  ９０３又はＣＴＲ  ９０５は、すべてのＵＥ  １〜４からのＵＬ  ＣＳＩを推定するために、そのシグナリング情報を利用する。ｉｉｉ）ＢＴＳ  ９０３又はＣＴＲ  ９０５は、ＵＬ  ＣＳＩをＤＬ  ＣＳＩに変換するために、ＲＦ補正を使用する。ｉｖ）ＢＴＳ  ９０３又はＣＴＲ  ９０５は、ＢＳＮ  ９０２を通してＤＬ  ＣＳＩ又はコードブックインデックスをＣＰへ送信する。ｖ）そのＤＬ  ＣＳＩに基づいてＣＰ  ９０１はＤＬ上のデータ伝送に関するプリコーディング重みを計算する。閉ループＤＩＤＯ方式と同様に、ユーザクラスタは、ＢＴＳにおいて推定されるＵＥからのＣＳＩの量を低減するために使用することができ、それによって、ＢＴＳにおける計算の負担、並びに、ＵＬ上で必要とされるシグナリングの量を低減する。本発明の一実施形態では、開ループプリコーディング技術は、ＤＬチャネル上で、ＢＴＳからＵＥへ同時非干渉データストリームを送信するために使用される。
【００９７】
ＬＴＥには、アップリンクチャネルに関して、２種類の参照信号がある［３１、３３、８７］。ｉ）音声基準シンボル（ＳＲＳ）。スケジューリング及びリンク適合のために使用。ｉｉ）復調参照信号（ＤＭＲＳ）。データ受信のために使用。本発明の一実施形態では、ＳＲＳ又はＤＭＲＳは、すべてのＵＥからすべてのＢＴＳへのＵＬチャネルを推定するために、開ループＤＩＤＯシステムで使用される。時間領域において、ＤＭＲＳは、すべてのＬＴＥスロット（持続時間０．５ミリ秒の）の第４のＯＦＤＭシンボル（通常巡回プリフィックスを使用するとき）において送信される。周波数領域では、ＰＵＳＣＨ上で送信されるＤＭＲＳは、すべてのＵＥについて、ＵＬデータ伝送についてそのＵＥによって使用される同じリソースブロック（ＲＢ）へマップされる。
【００９８】
ＤＭＲＳの長さは、ＭRS＝ｍＮRBであり、ここで、ｍは、ＲＢの数であり、ＮRB＝１２は、ＲＢ当たりのサブキャリアの数である。複数のＵＥをサポートするために、基本シーケンスの循環シフトにより、いくつかのＤＭＲＳは、１ベースＺａｄｏｆｆ−Ｃｈｕ［８８］又はコンピュータ生成定振幅ゼロ自己相関（ＣＧ−ＣＡＺＡＣ）シーケンスから生成される。基本シーケンスは３０の群に分割され、隣のＬＴＥセルは、セル間干渉を低減するために、異なる群からのＤＭＲＳを選択する。例えば１つのＯＦＤＭシンボル中のリソースブロックの最大数が１１０であるならば（即ち、２０ＭＨｚの全体的な信号帯域幅を想定すると）、最大１１０×３０＝３３００の異なるシーケンスを生成することが可能である。
【００９９】
本発明の一実施形態では、ＤＩＤＯシステムは、ＵＬで使用することができるＳＲＳ又はＤＭＲＳの数を最大にするために、「仮想セル」へＵＥを割り当てる。１つの例示的な実施形態において、仮想セルは、ＵＥのまわりのコヒーレンスエリア（関連する同時係属中の「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」と題する米国特許出願第１３／２３２，９９６号に記載）であり、ＤＩＤＯシステムは、異なるＵＥに関して、最大３３００のコヒーレンスエリアを生成する。本発明の別の実施形態では、隣接したＤＩＤＯクラスタ（クラスタは、関連する２０１２年５月１日発行の「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」と題する米国特許第８，１７０，０８１号で規定される）間のクラスタ間干渉を低減するために、３０の基本シーケンスの各々が、異なるＤＩＤＯクラスタへ割り当てられる。別の実施形態では、ＳＲＳ又はＤＭＲＳは、チャネルの周波数ダイバーシティを利用するために、特定の周波数ホッピングパターンに応じて、割り当てられる。
【０１００】
すべてのＵＥについては、ＤＩＤＯプリコーディングによってＤＬで同時に提供されるのに十分な直交ＳＲＳ又はＤＭＲＳがない場合、１つの代替策は、時間領域で異なるＵＥのＳＲＳ又はＤＭＲＳを多重化することである。例えばＵＥは、異なる群に分割され、それらの群に関するＳＲＳ又はＤＭＲＳは連続的な時間スロット（それぞれ０．５ミリ秒の持続時間）上で送信される。しかし、この場合に、異なる群（多重通信）に関するＳＲＳ又はＤＭＲＳ割当ての周期性が、最速で移動中のＵＥのチャネルコヒーレンス時間より低いことを保証することが必要である。実際、これは、ＣＳＩがＳＲＳ又はＤＭＲＳにより推定される時間から、システムがＤＩＤＯプリコーディングによってＵＥへＤＬデータストリームを送信する時間まで、チャネルがすべてのＵＥについて変化しないことを保証するための必要条件である本発明の一実施形態では、システムは、アクティブＵＥを群に分割し、連続的な時間スロット上で、ＳＲＳ又はＤＭＲＳの同じセットを各群へ割り当てる。同じ実施形態では、システムは、すべてのアクティブＵＥに関する最も短いチャネルコヒーレンス時間を推定し、並びにＵＥ群の最大数及びその情報に基づくＳＲＳ又はＤＭＲＳの時分割多重化の周期性を推定する。
【０１０１】
３．ＬＴＥでのアップリンクＤＩＤＯ技術
本発明の実施形態は、すべてのＵＥからＢＴＳへの同時ＵＬデータストリームを受信するために、ＵＬチャネル上で開ループＭＵ−ＭＩＭＯ方式を使用する。ＵＬ開ループＭＵ−ＭＩＭＯ方式の一実施形態は、以下のステップを含む。ｉ）ＵＥ  １〜４は、すべてのＢＴＳ  ９０３へシグナリング情報及びデータペイロードを送信する。ｉｉ）ＢＴＳ  ９０３は、シグナリング情報を使用して、すべてのＵＥからのチャネル推定を計算する。ｉｉｉ）ＢＴＳ  ９０３はチャネル推定及びデータペイロードをＣＰ  ９０１へ送信する。ｉｖ）ＣＰ  ９０１は、空間フィルタリングによって、すべてのＵＥのデータペイロードからチャンネル間干渉を除去するために、チャネル推定を使用し、すべてのＵＥからデータストリームを復調する。一実施形態において、開ループＭＵ−ＭＩＭＯシステムは、ＵＥからＢＴＳへのＵＬチャネルの数を増大するために、単一キャリアの周波数分割多元接続（ＳＣ−ＦＤＭＡ）を使用し、周波数領域でそれらを多重化する。
【０１０２】
一実施形態において、ＵＥの間の同期は、ＤＬからのシグナリングにより実現され、同じクロックへの直接的な配線によるか、又は、ＧＰＳＤＯによって共通の時間／周波数基準を共有することによるかのいずれでも、すべてのＢＴＳ  ９０３が同じ時間／周波数基準クロックに対してロックされているものとみなす。異なるＵＥにわたるチャネル遅延の変動は、異なるＵＥの時間基準の間でジッタを生成する可能性があり、ＵＬ上でＭＵ−ＭＩＭＯ方法の性能に影響を及ぼす可能性がある。一実施形態において、異なるＵＥ間にわたる相対的な伝搬遅延を低減するために、同じＤＩＤＯクラスタ（例えば、お互いに隣接したＵＥ）中のＵＥだけが、ＭＵ−ＭＩＭＯ方法によって処理される。別の実施形態において、ＵＥの間の相対的な伝搬遅延は、ＵＥにおいて、又は、ＢＴＳにおいて補償され、ＢＴＳ  ９０３において、異なるＵＥ  １〜４からのデータペイロードの同時受信を保証する。
【０１０３】
ＵＬ上でデータ復調に関するシグナリング情報を可能にするための技術は、以前の節で記載したダウンリンク開ループＤＩＤＯ方式のシグナリングに使用されるものと同じ方法である可能性がある。ＣＰ  ９０１は、ＵＥデータペイロードからチャンネル間干渉を除去するために、異なる空間処理技術を使用してもよい。本発明の一実施形態では、ＣＰ  ９０１は、最大尤度（ＭＬ）、決定帰還等化（ＤＦＥ）、又は逐次干渉除去（ＳＩＣ）受信機などの非線形空間処理方法を使用する。別の実施形態においてＣＰ  ９０１は、同一チャネル干渉を相殺するために、ゼロフォーシング（ＺＦ）又は最小平均二乗誤差（ＭＭＳＥ）受信機などの線形フィルタを使用し、アップリンクデータストリームを個別に復調する。
【０１０４】
４．既存のＬＴＥネットワークとの統合
アメリカ合衆国及び世界の他の領域で、ＬＴＥネットワークは、すでに稼働中であるか又は、配備されるところであるか、及び／又は配備されることになっている。もし、ＬＴＥオペレータがＤＩＤＯ能力を既存の又はすでに約束された配備の中へ、徐々に配備することができるならば、彼らにとって著しい利益となるであろう。このように、彼らは、ＤＩＤＯが最も即時の利益を提供する領域に、ＤＩＤＯを配備することができ、徐々に、より多くのネットワークにわたるようにＤＩＤＯ能力を拡大する。やがて、彼らが領域に十分なＤＩＤＯカバレージを有したら、それらは、完全にセルの使用を廃止することを選び、その代わりに、ＤＩＤＯへ完全に切り替えて、非常な低コストで非常により高いスペクトル密度を実現することができる。セルラからＤＩＤＯへのこの完全な移行を通して、ＬＴＥオペレータの無線カスタマーは、サービスで損失を被るようなことは決してないであろう。むしろ、彼らはそれらのデータ効率及び信頼性の改善に単に遭遇するだけであり、一方、操作者はそのコスト低下に遭遇することになる。
【０１０５】
既存のＬＴＥネットワークへのＤＩＤＯの段階的な統合を可能にするいくつかの実施形態がある。すべての場合に、ＤＩＤＯのＢＴＳはＤＩＤＯ−ＬＴＥ  ＢＴＳと呼ばれ、それは、上述のＬＴＥ互換のＤＩＤＯ実施形態の１つ、又は将来開発される可能性がある他のＬＴＥ互換の実施形態を利用するであろう。又は、ＤＩＤＯ−ＬＴＥ  ＢＴＳは、上述したような、ＬＴＥ規格のわずかな変形を利用することになり、ＵＥは更新されるか（例えばソフトウェアアップデートが、ＤＩＤＯと互換性を有するようにＵＥを修正するのに十分であるならば）、又は、ＤＩＤＯ互換であるＵＥの新世代が配備されることのいずれかになる。どちらの場合でも、ＤＩＤＯをサポートする新しいＢＴＳは、ＬＴＥ規格の制約の中か、又はＬＴＥ規格の変形としてであるかのいずれでも、以下ＤＩＤＯ−ＬＴＥ  ＢＴＳと呼ぶことにする。
【０１０６】
ＬＴＥ規格は、種々の帯域幅（例えば、１．４、３、５、１０、１５、及び２０ＭＨｚ）をサポートする。一実施形態において、既存のＬＴＥネットワークのオペレータは、ＬＴＥ−ＤＩＤＯ  ＢＴＳに関して新しい帯域幅を割り当てるか、又は、既存のＬＴＥスペクトルを細分化（例えば、２０ＭＨｚは２つの１０ＭＨｚのブロックに細分化でき得る）することのいずれでも、１ブロックのスペクトルでセルラ構成の従来のＬＴＥ  ＢＴＳを、別ブロックのスペクトルでＤＩＤＯ  ＬＴＥ  ＢＴＳをサポートすることができる。事実上、これは２つの別個のＬＴＥネットワークを確立し、ＵＥデバイスは一方又は他方のネットワークを使用するか、又は、両者の中から選択するように構成されるであろう。細分化されたスペクトルの場合に、スペクトルは従来のＬＴＥネットワークとＤＩＤＯ−ＬＴＥネットワークの間で、均一に又は不均一に分割され、セルラＬＴＥ  ＢＴＳ  及び  ＤＩＤＯ−ＬＴＥ  ＢＴＳの配備の度合、及び／又はＵＥ使用のパターンを考慮して、最もよく利用することができるネットワークにより多くのスペクトルを割り当てることができる。この細分化は、時間経過の必要に応じて、変わることができ、ある時点で、セルラＢＴＳと同じか又はより良いカバレージを提供するために配備された十分なＤＩＤＯ−ＬＴＥ  ＢＴＳがあるとき、スペクトルのすべては、ＤＩＤＯ−ＬＴＥ  ＢＴＳへ割り当てることができ、セルラＢＴＳは廃止することができる。
【０１０７】
別の実施形態では、従来のセルラＬＴＥ  ＢＴＳは、ＤＩＤＯ−ＬＴＥ  ＢＴＳと協調し、同じスペクトルを共有するが、交替でそのスペクトルを使用するように構成することができる。例えば、彼らが等しくスペクトルの使用を共有している場合、各ＢＴＳネットワークは、例えばセルラＬＴＥ  ＢＴＳに関する１つの１０ｍｓのフレームのあと、ＤＩＤＯ−ＬＴＥ  ＢＴＳに関する１つの１０ｍｓのフレームが続くように、交代で１つの１０ｍｓのフレーム時間を利用することになる。フレーム時間は、不均一な間隔に細分化することもできる。この区間分割は、時間経過の必要に応じて、変わることができ、セルラＢＴＳと同じか又はより良いカバレージを提供するために配備された十分なＤＩＤＯ−ＬＴＥ  ＢＴＳｓがあるとき、時間のすべては、ＤＩＤＯ−ＬＴＥ  ＢＴＳへ割り当てることができ、セルラＢＴＳは廃止することができる。
【０１０８】
本発明の別の実施形態において、ＤＩＤＯは、ＬＴＥ及びＬＴＥ−Ａｄｖａｎｃｅｄネットワークの小セルに対するＬＯＳ又はＮＬＯの無線バックホールとして、使用される。小セルがＬＴＥネットワークで配備されるにつれて、ＤＩＤＯはそれらの小セルへ高速の無線バックホールを提供する。より高いデータレートに対する要求が増大するにつれて、無線ネットワークがセル間干渉を引き起こすことなく、それ以上の小セルを所定の領域に追加することができない制限に届くまで、より多くの小セルがネットワークに追加される。本発明の同じ実施形態では、ＤＩＤＯ  ＢＴＳは、徐々に小セルを置き換えるために使用され、それによって、増大されたネットワーク容量を提供するために、セル間干渉を利用する。
【０１０９】
参考文献
［１］Ａ．Ｐａｕｌｒａｊ，Ｒ．Ｎａｂａｒ，ａｎｄ  Ｄ．Ｇｏｒｅ，Ｉｎｔｒｏｄｕｃｔｉｏｎ  ｔｏ  Ｓｐａｃｅ−Ｔｉｍｅ  Ｗｉｒｅｌｅｓｓ  Ｃｏｍｍｕｎｉｃａｔｉｏｎｓ，Ｃａｍｂｒｉｄｇｅ  Ｕｎｉｖｅｒｓｉｔｙ  Ｐｒｅｓｓ，４０  Ｗｅｓｔ  ２０ｔｈ  Ｓｔｒｅｅｔ，Ｎｅｗ  Ｙｏｒｋ，ＮＹ，ＵＳＡ，２００３
［２］Ｄ．Ｇｅｓｂｅｒｔ，Ｍ．Ｓｈａｆｉ，Ｄ．Ｓｈｉｕ，Ｐ．Ｊ．Ｓｍｉｔｈ  ａｎｄ  Ａ．Ｎａｇｕｉｂ，「Ｆｒｏｍ  ｔｈｅｏｒｙ  ｔｏ  ｐｒａｃｔｉｃｅ：ａｎ  ｏｖｅｒｖｉｅｗ  ｏｆ  ＭＩＭＯ  ｓｐａｃｅ−ｔｉｍｅ  ｃｏｄｅｄ  ｗｉｒｅｌｅｓｓ  ｓｙｓｔｅｍｓ」，ＩＥＥＥ  Ｊｏｕｒｎａｌ  ｏｎ  Ｓｅｌｅｃｔｅｄ  Ａｒｅａｓ  ｏｎ  Ｃｏｍｍｕｎｉｃａｔｉｏｎｓ，ｖｏｌ．２，ｎ．３，ｐｐ．２８１〜３０２，Ａｐｒ．２００３
［３］Ｌ．Ｚｈｅｎｇ  ａｎｄ  Ｄ．Ｎ．Ｃ．Ｔｓｅ，「Ｄｉｖｅｒｓｉｔｙ  ａｎｄ  ｍｕｌｔｉｐｌｅｘｉｎｇ：ａ  ｆｕｎｄａｍｅｎｔａｌ  ｔｒａｄｅｏｆｆ  ｉｎ  ｍｕｌｔｉｐｌｅ−ａｎｔｅｎｎａ  ｃｈａｎｎｅｌｓ，」ＩＥＥＥ  Ｔｒａｎｓ．Ｉｎｆｏ．Ｔｈ．，ｖｏｌ．４９，ｎｏ．５，ｐｐ．１０７３〜１０９６，Ｍａｙ  ２００３  ［４］Ｄ．Ｎ．Ｃ．Ｔｓｅ，Ｐ．Ｖｉｓｗａｎａｔｈ，ａｎｄ  Ｌ．Ｚｈｅｎｇ，「Ｄｉｖｅｒｓｉｔｙ−ｍｕｌｔｉｐｌｅｘｉｎｇ  ｔｒａｄｅｏｆｆ  ｉｎ  ｍｕｌｔｉｐｌｅ−ａｃｃｅｓｓ  ｃｈａｎｎｅｌｓ」，ＩＥＥＥ  Ｔｒａｎｓ．Ｉｎｆｏ．Ｔｈ．，ｖｏｌ．５０，ｎｏ．９，ｐｐ．１８５９〜１８７４，Ｓｅｐｔ．２００４
［５］Ｅ．Ｖｉｓｏｔｓｋｙ  ａｎｄ  Ｕ．Ｍａｄｈｏｗ，「Ｓｐａｃｅ−ｔｉｍｅ  ｔｒａｎｓｍｉｔ  ｐｒｅｃｏｄｉｎｇ  ｗｉｔｈ  ｉｍ−ｐｅｒｆｅｃｔ  ｆｅｅｄｂａｃｋ」，ＩＥＥＥ  Ｔｒａｎｓ．Ｉｎｆｏ．Ｔｈ．，ｖｏｌ．４７，ｐｐ．２６３２〜２６３９，Ｓｅｐ．２００１。
［６］Ｓ．Ａ．Ｊａｆａｒ，Ｓ．Ｖｉｓｈｗａｎａｔｈ，ａｎｄ  Ａ．Ｇｏｌｄｓｍｉｔｈ，「Ｃｈａｎｎｅｌ  ｃａｐａｃｉｔｙ  ａｎｄ  ｂｅａｍｆｏｒｍｉｎｇ  ｆｏｒ  ｍｕｌｔｉｐｌｅ  ｔｒａｎｓｍｉｔ  ａｎｄ  ｒｅｃｅｉｖｅ  ａｎｔｅｎｎａｓ  ｗｉｔｈ  ｃｏｖａｒｉａｎｃｅ  ｆｅｅｄｂａｃｋ」，Ｐｒｏｃ．ＩＥＥＥ  Ｉｎｔ．Ｃｏｎｆ．ｏｎ  Ｃｏｍｍ．，ｖｏｌ．７，ｐｐ．２２６６〜２２７０，Ｊｕｎ．２００１。
［７］Ｓ．Ａ．Ｊａｆａｒ  ａｎｄ  Ａ．Ｇｏｌｄｓｍｉｔｈ，「Ｔｒａｎｓｍｉｔｔｅｒ  ｏｐｔｉｍｉｚａｔｉｏｎ  ａｎｄ  ｏｐｔｉｍａｌｉｔｙ  ｏｆ  ｂｅａｍｆｏｒｍｉｎｇ  ｆｏｒ  ｍｕｌｔｉｐｌｅ  ａｎｔｅｎｎａ  ｓｙｓｔｅｍｓ，」ＩＥＥＥ  Ｔｒａｎｓ．Ｗｉｒｅｌｅｓｓ  Ｃｏｍｍ．，ｖｏｌ．３，ｐｐ．１１６５〜１１７５，Ｊｕｌｙ  ２００４。
［８］Ｅ．Ａ．Ｊｏｒｓｗｉｅｃｋ  ａｎｄ  Ｈ．Ｂｏｃｈｅ，「Ｃｈａｎｎｅｌ  ｃａｐａｃｉｔｙ  ａｎｄ  ｃａｐａｃｉｔｙ−ｒａｎｇｅ  ｏｆ  ｂｅａｍｆｏｒｍｉｎｇ  ｉｎ  ＭＩＭＯ  ｗｉｒｅｌｅｓｓ  ｓｙｓｔｅｍｓ  ｕｎｄｅｒ  ｃｏｒｒｅｌａｔｅｄ  ｆａｄｉｎｇ  ｗｉｔｈ  ｃｏｖａｒｉａｎｃｅ  ｆｅｅｄｂａｃｋ，」ＩＥＥＥ  Ｔｒａｎｓ．Ｗｉｒｅｌｅｓｓ  Ｃｏｍｍ．，ｖｏｌ．３，ｐｐ．１５４３〜１５５３，Ｓｅｐ．２００４。
［９］Ａ．Ｌ．Ｍｏｕｓｔａｋａｓ  ａｎｄ  Ｓ．Ｈ．Ｓｉｍｏｎ，「Ｏｐｔｉｍｉｚｉｎｇ  ｍｕｌｔｉｐｌｅ−ｉｎｐｕｔ  ｓｉｎｇｌｅ−ｏｕｔｐｕｔ（ＭＩＳＯ）ｃｏｍｍｕｎｉｃａｔｉｏｎ  ｓｙｓｔｅｍｓ  ｗｉｔｈ  ｇｅｎｅｒａｌ  Ｇａｕｓｓｉａｎ  ｃｈａｎｎｅｌｓ：ｎｏｎｔｒｉｖｉａｌ  ｃｏｖａｒｉａｎｃｅ  ａｎｄ  ｎｏｎｚｅｒｏ  ｍｅａｎ，」ＩＥＥＥ  Ｔｒａｎｓ．Ｉｎｆｏ．Ｔｈ．，ｖｏｌ．４９，ｐｐ．２７７０〜２７８０，Ｏｃｔ．２００３。
［１０］Ｍ．Ｋａｎｇ  ａｎｄ  Ｍ．Ｓ．Ａｌｏｕｉｎｉ，「Ｗａｔｅｒ−ｆｉｌｌｉｎｇ  ｃａｐａｃｉｔｙ  ａｎｄ  ｂｅａｍｆｏｒｍｉｎｇ  ｐｅｒｆｏｒｍａｎｃｅ  ｏｆ  ＭＩＭＯ  ｓｙｓｔｅｍｓ  ｗｉｔｈ  ｃｏｖａｒｉａｎｃｅ  ｆｅｅｄｂａｃｋ，」ＩＥＥＥ  Ｗｏｒｋ．ｏｎ  Ｓｉｇｎ．Ｐｒｏｃ．Ａｄｖ．ｉｎ  Ｗｉｒｅ．Ｃｏｍｍ．，ｐｐ．５５６〜５６０，Ｊｕｎｅ  ２００３。
［１１］Ｓ．Ｈ．Ｓｉｍｏｎ  ａｎｄ  Ａ．Ｌ．Ｍｏｕｓｔａｋａｓ，「Ｏｐｔｉｍｉｚｉｎｇ  ＭＩＭＯ  ａｎｔｅｎｎａ  ｓｙｓｔｅｍｓ  ｗｉｔｈ  ｃｈａｎｎｅｌ  ｃｏｖａｒｉａｎｃｅ  ｆｅｅｄｂａｃｋ，」ＩＥＥＥ  Ｊｏｕｒ．Ｓｅｌｅｃｔ．Ａｒｅａｓ  ｉｎ  Ｃｏｍｍ．，ｖｏｌ．２１，ｐｐ．４０６〜４１７，Ａｐｒ．２００３．
［１２］Ｓ．Ｍ．Ａｌａｍｏｕｔｉ，「Ａ  ｓｉｍｐｌｅ  ｔｒａｎｓｍｉｔ  ｄｉｖｅｒｓｉｔｙ  ｔｅｃｈｎｉｑｕｅ  ｆｏｒ  ｗｉｒｅｌｅｓｓ  ｃｏｍｍｕｎｉｃａｔｉｏｎｓ，」ＩＥＥＥ  Ｊｏｕｒ．Ｓｅｌｅｃｔ．Ａｒｅａｓ  ｉｎ  Ｃｏｍｍ．，ｖｏｌ．１６，ｎｏ．８，ｐｐ．１４５１〜１４５８，Ｏｃｔ．１９９８。
［１３］Ｖ．Ｔａｒｏｋｈ，Ｎ．Ｓｅｓｈａｄｒｉ，ａｎｄ  Ａ．Ｒ．Ｃａｌｄｅｒｂａｎｋ，「Ｓｐａｃｅ−ｔｉｍｅ  ｃｏｄｅｓ  ｆｏｒ  ｈｉｇｈ  ｄａｔａ  ｒａｔｅ  ｗｉｒｅｌｅｓｓ  ｃｏｍｍｕｎｉｃａｔｉｏｎ：Ｐｅｒｆｏｒｍａｎｃｅ  ｃｒｉｔｅｒｉｏｎ  ａｎｄ  ｃｏｄｅ  ｃｏｎｓｔｒｕｃｔｉｏｎ，」ＩＥＥＥ  Ｔｒａｎｓ．Ｉｎｆｏ．Ｔｈ．，ｖｏｌ．４４，ｐｐ．７４４〜６５，Ｍａｒ．１９９８。
［１４］Ｖ．Ｔａｒｏｋｈ，Ｈ．Ｊａｆａｒｋｈａｎｉ，ａｎｄ  Ａ．Ｒ．Ｃａｌｄｅｒｂａｎｋ，「Ｓｐａｃｅ−ｔｉｍｅ  ｂｌｏｃｋ  ｃｏｄｅｓ  ｆｒｏｍ  ｏｒｔｈｏｇｏｎａｌ  ｄｅｓｉｇｎｓ，」ＩＥＥＥ  Ｔｒａｎｓ．Ｉｎｆｏ．Ｔｈ．，ｖｏｌ．４５，ｐｐ．１４５６〜４６７，Ｊｕｌｙ  １９９９。
［１５］Ｅ．Ｎ．Ｏｎｇｇｏｓａｎｕｓｉ，Ａ．Ｇ．Ｄａｂａｋ，ａｎｄ  Ｔ．Ａ．Ｓｃｈｍｉｄｌ，「Ｈｉｇｈ  ｒａｔｅ  ｓｐａｃｅ−ｔｉｍｅ  ｂｌｏｃｋ  ｃｏｄｅｄ  ｓｃｈｅｍｅ：ｐｅｒｆｏｒｍａｎｃｅ  ａｎｄ  ｉｍｐｒｏｖｅｍｅｎｔ  ｉｎ  ｃｏｒｒｅｌａｔｅｄ  ｆａｄｉｎｇ  ｃｈａｎｎｅｌｓ，」Ｐｒｏｃ．ＩＥＥＥ  Ｗｉｒｅｌｅｓｓ  Ｃｏｍｍ．ａｎｄ  Ｎｅｔ．Ｃｏｎｆ．，ｖｏｌ．１，ｐｐ．１９４〜１９９，Ｍａｒ．２００２。
［１６］Ｇ．Ｄ．Ｄｕｒｇｉｎ，Ｓｐａｃｅ−Ｔｉｍｅ  Ｗｉｒｅｌｅｓｓ  Ｃｈａｎｎｅｌｓ，Ｐｒｅｎｔｉｃｅ  Ｈａｌｌ，Ｕｐｐｅｒ  Ｓａｄｄｌｅ  Ｒｉｖｅｒ，ＮＪ，ＵＳＡ，２００３
［１７］Ｄ．−Ｓ．Ｓｈｉｕ，Ｇ．Ｊ．Ｆｏｓｃｈｉｎｉ，Ｍ．Ｊ．Ｇａｎｓ，ａｎｄ  Ｊ．Ｍ．Ｋａｈｎ，「Ｆａｄｉｎｇ  ｃｏｒｒｅ−ｌａｔｉｏｎ  ａｎｄ  ｉｔｓ  ｅｆｆｅｃｔ  ｏｎ  ｔｈｅ  ｃａｐａｃｉｔｙ  ｏｆ  ｍｕｌｔｉｅｌｅｍｅｎｔ  ａｎｔｅｎｎａ  ｓｙｓｔｅｍｓ，」ＩＥＥＥ  Ｔｒａｎｓ．Ｃｏｍｍ．，ｖｏｌ．４８，ｎｏ．３，ｐｐ．５０２〜５１３，Ｍａｒ．２０００
［１８］Ａ．Ｆｏｒｅｎｚａ  ａｎｄ  Ｒ．Ｗ．Ｈｅａｔｈ  Ｊｒ．，「Ｉｍｐａｃｔ  ｏｆ  ａｎｔｅｎｎａ  ｇｅｏｍｅｔｒｙ  ｏｎ  ＭＩＭＯ  ｃｏｍｍｕｎｉｃａｔｉｏｎ  ｉｎ  ｉｎｄｏｏｒ  ｃｌｕｓｔｅｒｅｄ  ｃｈａｎｎｅｌｓ，」Ｐｒｏｃ．ＩＥＥＥ  Ａｎｔｅｎｎａｓ  ａｎｄ  Ｐｒｏｐ．Ｓｙｍｐ．，ｖｏｌ．２，ｐｐ．１７００〜１７０３，Ｊｕｎｅ  ２００４．
［１９］Ｅ．Ａ．Ｊｏｒｓｗｉｅｃｋ  ａｎｄ  Ｈ．Ｂｏｃｈｅ，「Ｃｈａｎｎｅｌ  ｃａｐａｃｉｔｙ  ａｎｄ  ｃａｐａｃｉｔｙ−ｒａｎｇｅ  ｏｆ  ｂｅａｍｆｏｒｍｉｎｇ  ｉｎ  ＭＩＭＯ  ｗｉｒｅｌｅｓｓ  ｓｙｓｔｅｍｓ  ｕｎｄｅｒ  ｃｏｒｒｅｌａｔｅｄ  ｆａｄｉｎｇ  ｗｉｔｈ  ｃｏｖａｒｉａｎｃｅ  ｆｅｅｄｂａｃｋ，」ＩＥＥＥ  Ｔｒａｎｓ．Ｗｉｒｅｌｅｓｓ  Ｃｏｍｍ．，ｖｏｌ．３，ｐｐ．１５４３〜１５５３，Ｓｅｐ．２００４
［２０］Ｒ．Ｗ．Ｈｅａｔｈ  Ｊｒ．ａｎｄ  Ａ．Ｐａｕｌｒａｊ，「Ｓｗｉｔｃｈｉｎｇ  ｂｅｔｗｅｅｎ  ｍｕｌｔｉｐｌｅｘｉｎｇ  ａｎｄ  ｄｉｖｅｒｓｉｔｙ  ｂａｓｅｄ  ｏｎ  ｃｏｎｓｔｅｌｌａｔｉｏｎ  ｄｉｓｔａｎｃｅ，」Ｐｒｏｃ．ｏｆ  Ａｌｌｅｒｔｏｎ  Ｃｏｎｆ．ｏｎ  ２０８，Ｃｏｍｍ．Ｃｏｎｔｒｏｌ  ａｎｄ  Ｃｏｍｐ．，Ｓｅｐ．２０００。
［２１］Ｓ．Ｃａｔｒｅｕｘ，Ｖ．Ｅｒｃｅｇ，Ｄ．Ｇｅｓｂｅｒｔ，ａｎｄ  Ｒ．Ｗ．Ｈｅａｔｈ  Ｊｒ．，「Ａｄａｐｔｉｖｅ  ｍｏｄｕｌａｔｉｏｎ  ａｎｄ  ＭＩＭＯ  ｃｏｄｉｎｇ  ｆｏｒ  ｂｒｏａｄｂａｎｄ  ｗｉｒｅｌｅｓｓ  ｄａｔａ  ｎｅｔｗｏｒｋｓ，」ＩＥＥＥ  Ｃｏｍｍ．Ｍａｇ．，ｖｏｌ．２，ｐｐ．１０８〜１１５，Ｊｕｎｅ  ２００２。
［２２］Ａ．Ｆｏｒｅｎｚａ，Ａ．Ｐａｎｄｈａｒｉｐａｎｄｅ，Ｈ．Ｋｉｍ，ａｎｄ  Ｒ．Ｗ．Ｈｅａｔｈ  Ｊｒ．，「Ａｄａｐｔｉｖｅ  ＭＩＭＯ  ｔｒａｎｓｍｉｓｓｉｏｎ  ｓｃｈｅｍｅ：Ｅｘｐｌｏｉｔｉｎｇ  ｔｈｅ  ｓｐａｔｉａｌ  ｓｅｌｅｃｔｉｖｉｔｙ  ｏｆ  ｗｉｒｅｌｅｓｓ  ｃｈａｎｎｅｌｓ，」Ｐｒｏｃ．ＩＥＥＥ  Ｖｅｈ．Ｔｅｃｈｎｏｌ．Ｃｏｎｆ．，ｖｏｌ．５，ｐｐ．３１８８〜３１９２，Ｍａｙ  ２００５
［２３］Ｃ．Ｂ．Ｃｈａｅ，Ａ．Ｆｏｒｅｎｚａ，Ｒ．Ｗ．Ｈｅａｔｈ，Ｊｒ．，Ｍ．Ｒ．ＭｃＫａｙ，ａｎｄ  Ｉ．Ｂ．Ｃｏｌｌｉｎｇｓ，「Ａｄａｐｔｉｖｅ  ＭＩＭＯ  Ｔｒａｎｓｍｉｓｓｉｏｎ  Ｔｅｃｈｎｉｑｕｅｓ  ｆｏｒ  Ｂｒｏａｄｂａｎｄ  Ｗｉｒｅｌｅｓｓ  Ｃｏｍｍｕｎｉｃａｔｉｏｎ  Ｓｙｓｔｅｍｓ，」ＩＥＥＥ  Ｃｏｍｍｕｎｉｃａｔｉｏｎｓ  Ｍａｇａｚｉｎｅ，ｖｏｌ．４８，ｎｏ．５，ｐｐ．１１２〜１１８，Ｍａｙ  ２０１０
［２４］ＦＣＣ，「Ｂｒｏａｄｂａｎｄ  ａｃｔｉｏｎ  ａｇｅｎｄａ」，Ｎａｔｉｏｎａｌ  Ｂｒｏａｄｂａｎｄ  Ｐｌａｎ，２０１０  ｈｔｔｐ：／／ｗｗｗ．ｂｒｏａｄｂａｎｄ．ｇｏｖ／ｐｌａｎ／ｎａｔｉｏｎａｌ−ｂｒｏａｄｂａｎｄ−ｐｌａｎ−ａｃｔｉｏｎ−ａｇｅｎｄａ．ｐｄｆ
［２５］，Ｎ．Ｄｅｌｆａｓ，Ｆ．Ｍｅｕｎｉｅｒ，Ｓ．Ｆｌａｎｎｅｒｙ，Ｔ．Ｔｓｕｓａｋａ，Ｅ．Ｇｅｌｂｌｕｍ  ａｎｄ  Ｓ．Ｋｏｖｌｅｒ，「Ｍｏｂｉｌｅ  ｄａｔａ  ｗａｖｅ：ｗｈｏ  ｄａｒｅｓ  ｔｏ  ｉｎｖｅｓｔ，ｗｉｎｓ」，Ｍｏｒｇａｎ  Ｓｔａｎｌｅｙ  Ｒｅｓｅａｒｃｈ  Ｇｌｏｂａｌ，Ｊｕｎｅ  １３，２０１２
［２６］Ｄ．Ｇｏｌｄｍａｎ，「Ｓｏｒｒｙ，Ａｍｅｒｉｃａ：ｙｏｕｒ  ｗｉｒｅｌｅｓｓ  ａｉｒｗａｖｅｓ  ａｒｅ  ｆｕｌｌ」，ＣＮＮ  Ｍｏｎｅｙ
ｈｔｔｐ：／／ｍｏｎｅｙ．ｃｎｎ．ｃｏｍ／２０１２／０２／２１／ｔｅｃｈｎｏｌｏｇｙ／ｓｐｅｃｔｒｕｍ＿ｃｒｕｎｃｈ／ｉｎｄｅｘ．ｈｔｍ
［２７］Ｐ．Ｒｙｓａｖｙ，「Ｎｏ  ｓｉｌｖｅｒ  ｂｕｌｌｅｔｓ  ｆｏｒ  ＦＣＣ，ＮＴＩＡ  ｓｐｅｃｔｒｕｍ  ｃｈａｌｌａｎｇｅ」，Ｄａｉｌｙ  ｒｅｐｏｒｔ  ｆｏｒ  ｅｘｅｃｕｔｉｖｅｓ，Ｂｌｏｏｍｂｅｒｇ  ＢＮＡ，Ａｕｇ．２０１２
ｈｔｔｐ：／／ｗｗｗ．ｒｙｓａｖｙ．ｃｏｍ／Ａｒｔｉｃｌｅｓ／２０１２＿０９＿Ｎｏ＿Ｓｐｅｃｔｒｕｍ＿Ｓｉｌｖｅｒ＿Ｂｕｌｌｅｔｓ．ｐｄｆ
［２８］Ｔ．Ｗ．Ｈａｚｌｅｔｔ，「Ｒａｄｉｏ  ｓｐｅｃｔｒｕｍ  ｆｏｒ  ａ  ｈｕｎｇｒｙ  ｗｉｒｅｌｅｓｓ  ｗｏｒｌｄ」，Ｓｅｐｔ．２２，２０１１
［２９］Ｂ．Ｊ．Ｌｏｖｅ，Ｄ．Ｊ．Ｌｏｖｅ  ａｎｄ  Ｊ．Ｖ．Ｋｒｏｇｍｅｉｅｒ，「Ｌｉｋｅ  ｄｅｃｋ  ｃｈａｉｒｓ  ｏｎ  ｔｈｅ  Ｔｉｔａｎｉｃ：ｗｈｙ  ｓｐｅｃｔｒｕｍ  ｒｅａｌｌｏｃａｔｉｏｎ  ｗｏｎ’ｔ  ａｖｅｒｔ  ｔｈｅ  ｃｏｍｉｎｇ  ｄａｔａ  ｃｒｕｎｃｈ  ｂｕｔ  ｔｅｃｈｎｏｌｏｇｙ  ｍｉｇｈｔ  ｋｅｅｐ  ｔｈｅ  ｗｉｒｅｌｅｓｓ  ｉｎｄｕｓｔｒｙ  ａｆｌｏａｔ」，Ｆｅｂ．２０１２
［３０］Ｑｕａｌｃｏｍｍ，「Ｔｈｅ  １０００ｘ  ｄａｔａ  ｃｈａｌｌｅｎｇｅ，ｔｈｅ  ｌａｔｅｓｔ  ｏｎ  ｗｉｒｅｌｅｓｓ，ｖｏｉｃｅ，ｓｅｒｖｉｃｅｓ  ａｎｄ  ｃｈｉｐｓｅｔ  ｅｖｏｌｕｔｉｏｎ」，４Ｇ  Ｗｏｒｌｄ，Ｏｃｔ．３１st，２０１２
［３１］Ｊ．Ｌｅｅ，Ｊ．−Ｋ．Ｈａｎ，Ｊ．Ｚｈａｎｇ，「ＭＩＭＯ  ｔｅｃｈｎｏｌｏｇｉｅｓ  ｉｎ  ３ＧＰＰ  ＬＴＥ  ａｎｄ  ＬＴＥ−ａｄｖａｎｃｅｄ」，ＥＵＲＡＳＩＰ  Ｊｏｕｒｎａｌ  ｏｎ  Ｗｉｒｅｌｅｓｓ  Ｃｏｍｍｕｎｉｃａｔｉｏｎｓ  ａｎｄ  Ｎｅｔｗｏｒｋｉｎｇ，Ｈｉｎｄａｗｉ，Ｍａｙ  ２００９
［３２］３ＧＰＰ，ＴＳ  ３６．２０１，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；ＬＴＥ  Ｐｈｙｓｉｃａｌ  Ｌａｙｅｒ−Ｇｅｎｅｒａｌ  Ｄｅｓｃｒｉｐｔｉｏｎ（Ｒｅｌｅａｓｅ  ８）」
［３３］３ＧＰＰ，ＴＳ  ３６．２１１，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）」
［３４］３ＧＰＰ，ＴＳ  ３６．２１２，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ（Ｒｅｌｅａｓｅ  ８）」
［３５］３ＧＰＰ，ＴＳ  ３６．２１３，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ  ８）」
［３６］Ｔ．Ｙｏｏ，Ｎ．Ｊｉｎｄａｌ，ａｎｄ  Ａ．Ｇｏｌｄｓｍｉｔｈ，「Ｍｕｌｔｉ−ａｎｔｅｎｎａ  ｂｒｏａｄｃａｓｔ  ｃｈａｎｎｅｌｓ  ｗｉｔｈ  ｌｉｍｉｔｅｄ  ｆｅｅｄｂａｃｋ  ａｎｄ  ｕｓｅｒ  ｓｅｌｅｃｔｉｏｎ，」ＩＥＥＥ  Ｊｏｕｒｎａｌ  ｏｎ  Ｓｅｌ．Ａｒｅａｓ  ｉｎ  Ｃｏｍｍｕｎｉｃａｔｉｏｎｓ，ｖｏｌ．２５，ｐｐ．１４７８〜９１，Ｊｕｌｙ  ２００７。
［３７］Ｐ．Ｄｉｎｇ，Ｄ．Ｊ．Ｌｏｖｅ，ａｎｄ  Ｍ．Ｄ．Ｚｏｌｔｏｗｓｋｉ，「Ｏｎ  ｔｈｅ  ｓｕｍ  ｒａｔｅ  ｏｆ  ｃｈａｎｎｅｌ  ｓｕｂｓｐａｃｅ  ｆｅｅｄｂａｃｋ  ｆｏｒ  ｍｕｌｔｉ−ａｎｔｅｎｎａ  ｂｒｏａｄｃａｓｔ  ｃｈａｎｎｅｌｓ，」ｉｎ  Ｐｒｏｃ．，ＩＥＥＥ  Ｇｌｏｂｅｃｏｍ，ｖｏｌ．５，ｐｐ．２６９９〜２７０３，Ｎｏｖｅｍｂｅｒ  ２００５。
［３８］Ｎ．Ｊｉｎｄａｌ，「ＭＩＭＯ  ｂｒｏａｄｃａｓｔ  ｃｈａｎｎｅｌｓ  ｗｉｔｈ  ｆｉｎｉｔｅ−ｒａｔｅ  ｆｅｅｄｂａｃｋ，」ＩＥＥＥ  Ｔｒａｎｓ．ｏｎ  Ｉｎｆｏ．Ｔｈｅｏｒｙ，ｖｏｌ．５２，ｐｐ．５０４５〜６０，Ｎｏｖｅｍｂｅｒ  ２００６。
［３９］Ｄ．Ｊ．Ｌｏｖｅ，Ｒ．Ｗ．Ｈｅａｔｈ，Ｊｒ．，Ｖ．Ｋ．Ｎ．Ｌａｕ，Ｄ．Ｇｅｓｂｅｒｔ，Ｂ．Ｄ．Ｒａｏ，ａｎｄ  Ｍ．Ａｎｄｒｅｗｓ，「Ａｎ  Ｏｖｅｒｖｉｅｗ  ｏｆ  Ｌｉｍｉｔｅｄ  Ｆｅｅｄｂａｃｋ  ｉｎ  Ｗｉｒｅｌｅｓｓ  Ｃｏｍｍｕｎｉｃａｔｉｏｎ  Ｓｙｓｔｅｍｓ，」ＩＥＥＥ  Ｊｏｕｒｎａｌ  ｏｎ  Ｓｅｌ．Ａｒｅａｓ  ｉｎ  Ｃｏｍｍ．，Ｓｐｅｃｉａｌ  Ｉｓｓｕｅ  ｏｎ  Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ，ｖｏｌ．２６，ｎｏ．８，ｐｐ．１３４１〜１３６５，Ｏｃｔ．２００８。
Ｒ．Ｗ．Ｈｅａｔｈ，Ｊｒ．，Ｄ．Ｊ．Ｌｏｖｅ，Ｖ．Ｋ．Ｎ．Ｌａｕ，Ｄ．Ｇｅｓｂｅｒｔ，Ｂ．Ｄ．Ｒａｏ，ａｎｄ  Ｍ．Ａｎｄｒｅｗｓ，「Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ，」ＩＥＥＥ  Ｊｏｕｒｎａｌ  ｏｎ  Ｓｅｌ．Ａｒｅａｓ  ｉｎ  Ｃｏｍｍ．，Ｓｐｅｃｉａｌ  Ｉｓｓｕｅ  ｏｎ  Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ，ｖｏｌ．２６，ｎｏ．８，ｐｐ．１３３７〜１３４０，Ｏｃｔ．２００８。
［４１］Ｄ．Ｊ．Ｌｏｖｅ，Ｒ．Ｗ．Ｈｅａｔｈ，Ｊｒ．，ａｎｄ  Ｔ．Ｓｔｒｏｈｍｅｒ，「Ｇｒａｓｓｍａｎｎｉａｎ  Ｂｅａｍｆｏｒｍｉｎｇ  ｆｏｒ  Ｍｕｌｔｉｐｌｅ−Ｉｎｐｕｔ  Ｍｕｌｔｉｐｌｅ−Ｏｕｔｐｕｔ  Ｗｉｒｅｌｅｓｓ  Ｓｙｓｔｅｍｓ，」ＩＥＥＥ  Ｔｒａｎｓ．ｏｎ  Ｉｎｆｏ．Ｔｈｅｏｒｙ  ｓｐｅｃｉａｌ  ｉｓｓｕｅ  ｏｎ  ＭＩＭＯ  Ｃｏｍｍｕｎｉｃａｔｉｏｎ，ｖｏｌ．４９，ｐｐ．２７３５〜２７４７，Ｏｃｔ．２００３
［４２］Ｃ．Ｂ．Ｃｈａｅ，Ｄ．Ｍａｚｚａｒｅｓｅ，Ｎ．Ｊｉｎｄａｌ  ａｎｄ  Ｒ．Ｗ．Ｈｅａｔｈ，Ｊｒ．，「Ｃｏｏｒｄｉｎａｔｅｄ  Ｂｅａｍｆｏｒｍｉｎｇ  ｗｉｔｈ  Ｌｉｍｉｔｅｄ  Ｆｅｅｄｂａｃｋ  ｉｎ  ｔｈｅ  ＭＩＭＯ  Ｂｒｏａｄｃａｓｔ  Ｃｈａｎｎｅｌ」ＩＥＥＥ  Ｊｏｕｒｎａｌ  ｏｎ  Ｓｅｌ．Ａｒｅａｓ  ｉｎ  Ｃｏｍｍ．，Ｓｐｅｃｉａｌ  Ｉｓｓｕｅ  ｏｎ  Ｅｘｐｌｏｉｔｉｎｇ  Ｌｉｍｉｔｅｄ  Ｆｅｅｄｂａｃｋ  ｉｎ  Ｔｏｍｏｒｒｏｗ’ｓ  Ｗｉｒｅｌｅｓｓ  Ｃｏｍｍｕｎｉｃａｔｉｏｎ  Ｎｅｔｗｏｒｋｓ，ｖｏｌ．２６，ｎｏ．８，ｐｐ．１５０５〜１５１５，Ｏｃｔ．２００８
［４３］Ａ．Ｐａｕｌｒａｊ，「Ｉｓ  ＯＦＤＭＡ，ＭＩＭＯ  ａｎｄ  ＯＳ  ｔｈｅ  ｒｉｇｈｔ  ｓｔｕｆｆ  ｆｏｒ  ｍｏｂｉｌｅ  ｂｒｏａｄ−ｂａｎｄ？」ｈｔｔｐ：／／ｗｗｗ．ｉｅｅｅｖｔｃ．ｏｒｇ／ｖｔｃ２００５ｆａｌｌ／ｐｒｅｓｅｎｔａｔｉｏｎｓ／ｐａｕｌｒａｊ．ｐｄｆ，Ｓｅｐｔ．２００５
［４４］Ｊ．Ｗａｎｎｓｔｒｏｍ，「Ｃａｒｒｉｅｒ  ａｇｇｒｅｇａｔｉｏｎ  ｅｘｐｌａｉｎｅｄ」，３ＧＰＰ
ｈｔｔｐ：／／ｗｗｗ．３ｇｐｐ．ｏｒｇ／Ｃａｒｒｉｅｒ−Ａｇｇｒｅｇａｔｉｏｎ−ｅｘｐｌａｉｎｅｄ
［４５］３ＧＰＰ，ＴＳ  ３６．８０８，「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｃａｒｒｉｅｒ  Ａｇｇｒｅｇａｔｉｏｎ（Ｒｅｌｅａｓｅ  １０）」，ｖ１０．０．０，Ｊｕｎｅ  ２０１２
［４６］Ｎｏｋｉａ  Ｓｉｅｍｅｎｓ  Ｎｅｔｗｏｒｋｓ，「２０２０：ｂｅｙｏｎｄ  ４Ｇ，ｒａｄｉｏ  ｅｖｏｌｕｔｉｏｎ  ｆｏｒ  ｔｈｅ  ｇｉｇａｂｉｔ  ｅｘｐｅｒｉｅｎｃｅ」，Ｗｈｉｔｅ  Ｐａｐｅｒ，２０１１，ｗｗｗ．ｎｏｋｉａｓｉｅｍｅｎｓｎｅｔｗｏｒｋｓ．ｃｏｍ
［４７］Ｓ．Ｍａｒｅｋ，「ＡＴ＆Ｔ’ｓ  Ｒｉｎｎｅ  ｔａｌｋｓ  ａｂｏｕｔ  ｃａｒｒｉｅｒ  ａｇｇｒｅｇａｔｉｏｎ  ｔｒｉａｌｓ，ｓｍａｌｌ  ｃｅｌｌｓ  ａｎｄ  ｍｏｒｅ」，ｈｔｔｐ：／／ｗｗｗ．ｆｉｅｒｃｅｂｒｏａｄｂａｎｄｗｉｒｅｌｅｓｓ．ｃｏｍ／ｓｔｏｒｙ／ａｔｔｓ−ｒｉｎｎｅ−ｔａｌｋｓ−ａｂｏｕｔ−ｃａｒｒｉｅｒ−ａｇｇｒｅｇａｔｉｏｎ−ｔｒｉａｌｓ−ｓｍａｌｌ−ｃｅｌｌｓ−ａｎｄ−ｍｏｒｅ／２０１２−１１−０８
［４８］Ｍ．Ｒｅｅｄ，「ＩｎｔｅｒｆｅｒｅＸ」，Ｔｅｃｈ２３，２０１１
ｈｔｔｐ：／／ｗｗｗ．ｙｏｕｔｕｂｅ．ｃｏｍ／ｗａｔｃｈ？ｖ＝ＹＰｐＥＬｍ６ｉｉｐ８
［４９］ＮＩＣＴＡ，「ＩｎｔｅｒｆｅｒｅＸ」，
ｈｔｔｐ：／／ｗｗｗ．ｎｉｃｔａ．ｃｏｍ．ａｕ／ｒｅｓｅａｒｃｈ／ａｒｃｈｉｖｅ／ｒｅｓｅａｒｃｈ＿ｔｈｅｍｅｓ／ｎｅｔｗｏｒｋｅｄ＿ｓｙｓｔｅｍｓ／ｉｎｔｅｒｆｅｒｅｘ
［５０］Ｊ．Ｄｕｐｌｉｃｉｔｙ，ｅｔ  ａｌ．，「ＭＵ−ＭＩＭＯ  ｉｎ  ＬＴＥ  ｓｙｓｔｅｍｓ」，ＥＵＲＡＳＩＰ  Ｊｏｕｒｎａｌ  ｏｎ  Ｗｉｒｅｌｅｓｓ  Ｃｏｍｍｕｎｉｃａｔｉｏｎｓ  ａｎｄ  Ｎｅｔｏｗｒｋｉｎｇ，Ｍａｒ．２０１１
［５１］Ｓ．Ｆｅｎｇ  ａｎｄ  Ｅ．Ｓｅｉｄｅｌ，「Ｓｅｌｆ−ｏｒｇａｎｉｚｉｎｇ  ｎｅｔｗｏｒｋｓ（ＳＯＮ）ｉｎ  ３ＧＰＰ  ＬＴＥ」，Ｎｏｍｏｒ  ｒｅｓｅａｒｃｈ，Ｍａｙ  ２００８
［５２］ＮＥＣ，「Ｓｅｌｆ  ｏｒｇａｎｉｚｉｎｇ  ｎｅｔｗｏｒｋｓ」，Ｗｈｉｔｅ  ｐａｐｅｒ，Ｆｅｂ．２００９
［５３］Ｕ．Ｓ．Ｐａｔｅｎｔ  Ｎｏ．５，８０９，４２２，ｉｓｓｕｅｄ  Ｓｅｐｔｅｍｂｅｒ  １５，１９９８，ｅｎｔｉｔｌｅｄ「Ｄｉｓｔｒｉｂｕｔｅｄ  ｍｉｃｒｏｃｅｌｌｕｌａｒ  ｃｏｍｍｕｎｉｃａｔｉｏｎｓ  ｓｙｓｔｅｍ」，Ｇ．Ｒ．Ｒａｌｅｉｇｈ，Ｍ．Ａ．Ｐｏｌｌａｃｋ
［５４］Ｇ．Ｊ．Ｆｏｓｃｈｉｎｉ，Ｈ．Ｃ．Ｈｕａｎｇ，Ｋ．Ｋａｒａｋａｙａｌｉ，Ｒ．Ａ．Ｖａｌｅｎｚｕｅｌａ，ａｎｄ  Ｓ．Ｖｅｎｋａｔｅｓａｎ．Ｔｈｅ  Ｖａｌｕｅ  ｏｆ  Ｃｏｈｅｒｅｎｔ  Ｂａｓｅ  Ｓｔａｔｉｏｎ  Ｃｏｏｒｄｉｎａｔｉｏｎ．Ｉｎ  Ｃｏｎｆｅｒｅｎｃｅ  ｏｎ  Ｉｎ−ｆｏｒｍａｔｉｏｎ  Ｓｃｉｅｎｃｅｓ  ａｎｄ  Ｓｙｓｔｅｍｓ（ＣＩＳＳ  ２００５），Ｍａｒ．２００５
［５５］Ｍ．Ｋ．Ｋａｒａｋａｙａｌｉ，Ｇ．Ｊ．Ｆｏｓｃｈｉｎｉ，Ｒ．Ａ．Ｖａｌｅｎｚｕｅｌａ，ａｎｄ  Ｒ．Ｄ．Ｙａｔｅｓ，「Ｏｎ  ｔｈｅ  ｍａｘｉｍｕｍ  ｃｏｍｍｏｎ  ｒａｔｅ  ａｃｈｉｅｖａｂｌｅ  ｉｎ  ａ  ｃｏｏｒｄｉｎａｔｅｄ  ｎｅｔｗｏｒｋ，」Ｐｒｏｃ．ｏｆ  ｔｈｅ  Ｉｎｔ’ｌ  Ｃｏｎｆ．ｏｎ  Ｃｏｍｍｕｎｉｃａｔｉｏｎｓ（ＩＣＣ’０６），ｖｏｌ．９，ｐｐ．４３３３〜４３３８，Ｊｕｎｅ  ２００６。
【０１１０】
［５６］Ｍ．Ｋ．Ｋａｒａｋａｙａｌｉ，Ｇ．Ｊ．Ｆｏｓｃｈｉｎｉ，ａｎｄ  Ｒ．Ａ．Ｖａｌｅｎｚｕｅｌａ，「Ｎｅｔｗｏｒｋ  ｃｏｏｒ−ｄｉｎａｔｉｏｎ  ｆｏｒ  ｓｐｅｃｔｒａｌｌｙ  ｅｆｆｉｃｉｅｎｔ  ｃｏｍｍｕｎｉｃａｔｉｏｎｓ  ｉｎ  ｃｅｌｌｕｌａｒ  ｓｙｓｔｅｍｓ，」ＩＥＥＥ  Ｗｉｒｅｌｅｓｓ  Ｃｏｍｍｕｎｉｃａｔｉｏｎｓ  Ｍａｇａｚｉｎｅ，ｖｏｌ．１３，ｎｏ．４，ｐｐ．５６〜６１，Ａｕｇ．２００６。
【０１１１】
［５７］Ｇ．Ｊ．Ｆｏｓｃｈｉｎｉ，Ｍ．Ｋ．Ｋａｒａｋａｙａｌｉ，ａｎｄ  Ｒ．Ａ．Ｖａｌｅｎｚｕｅｌａ，「Ｃｏｏｒｄｉｎａｔｉｎｇ  ｍｕｌｔｉｐｌｅ  ａｎｔｅｎｎａ  ｃｅｌｌｕｌａｒ  ｎｅｔｗｏｒｋｓ  ｔｏ  ａｃｈｉｅｖｅ  ｅｎｏｒｍｏｕｓ  ｓｐｅｃｔｒａｌ  ｅｆｆｉｃｉｅｎｃｙ，」Ｐｒｏ−ｃｅｅｄｉｎｇｓ  ｏｆ  ｔｈｅ  ＩＥＥＥ，ｖｏｌ．１５３，ｎｏ．４，ｐｐ．５４８〜５５５，Ａｕｇ．２００６。
［５８］Ｓ．Ｖｅｎｋａｔｅｓａｎ，Ａ．Ｌｏｚａｎｏ，ａｎｄ  Ｒ．Ｖａｌｅｎｚｕｅｌａ，「Ｎｅｔｗｏｒｋ  ＭＩＭＯ：ｏｖｅｒｃｏｍｉｎｇ  ｉｎｔｅｒ−ｃｅｌｌ  ｉｎｔｅｒｆｅｒｅｎｃｅ  ｉｎ  ｉｎｄｏｏｒ  ｗｉｒｅｌｅｓｓ  ｓｙｓｔｅｍｓ」，Ｐｒｏｃ．ｏｆ  Ａｓｉｌｏｍａｒ  ｃｏｎｆ．，ｐｐ．８３〜８７，Ｎｏｖ．２００７
［５９］Ｓ．Ｖｅｎｋａｔｅｓａｎ，Ｈ．Ｈｕａｎｇ，Ａ．Ｌｏｚａｎｏ，ａｎｄ  Ｒ．Ｖａｌｅｎｚｕｅｌａ，「Ａ  ＷｉＭＡＸ−ｂａｓｅｄ  ｉｍｐｌｅｍｅｎｔａｔｉｏｎ  ｏｆ  ｎｅｔｗｏｒｋ  ＭＩＭＯ  ｆｏｒ  ｉｎｄｏｏｒ  ｗｉｒｅｌｅｓｓ  ｓｙｓｔｅｍｓ」，ＥＵＲＡＳＩＰ  Ｊｏｕｒｎａｌ  ｏｎ  Ａｄｖａｎｃｅｓ  ｉｎ  Ｓｉｇｎａｌ  Ｐｒｏｃｅｓｓｉｎｇ，Ｓｅｐ．２００９
［６０］Ｙ．Ｌｉａｎｇ，Ｒ．Ｖａｌｅｎｚｕｅｌａ，Ｇ．Ｆｏｓｃｈｉｎｉ，Ｄ．Ｃｈｉｚｈｉｋ，ａｎｄ  Ａ．Ｇｏｌｄｓｍｉｔｈ，「Ｉｎｔｅｒｆｅｒｅｎｃｅ  ｓｕｐｐｒｅｓｓｉｏｎ  ｉｎ  ｗｉｒｅｌｅｓｓ  ｃｅｌｌｕｌａｒ  ｎｅｔｗｏｒｋｓ  ｔｈｒｏｕｇｈ  ｐｉｃｏｃｅｌｌｓ」，ＡＣＳＳＣ，ｐｐ．１０４１〜１０４５，Ｎｏｖ．２００７
［６１］Ａ．Ｐａｐａｄｏｇｉａｎｎｉｓ，Ｈ．Ｊ．Ｂａｎｇ，Ｄ．Ｇｅｓｂｅｒｔ，ａｎｄ  Ｅ．Ｈａｒｄｏｕｉｎ，「Ｅｆｆｉｃｉｅｎｔ  ｓｅｌｅｃｔｉｖｅ  ｆｅｅｄｂａｃｋ  ｄｅｓｉｇｎ  ｆｏｒ  ｍｕｌｔｉｃｅｌｌ  ｃｏｏｐｅｒａｔｉｖｅ  ｎｅｔｗｏｒｋｓ」，ＩＥＥＥ  Ｔｒａｎｓ．Ｏｎ  Ｖｅｈｉｃｕｌａｒ  Ｔｅｃｈｎ．，ｐｐ．１９６〜２０５，ｖｏｌ．６０，ｎ．１，Ｊａｎ．２０１１
［６２］Ｉ．Ｆ．Ａｋｙｉｌｄｉｚ，Ｄ．Ｍ．Ｇｕｔｅｒｒｅｚ−Ｅｓｔｅｖｅｚ，Ｅ．Ｃ．Ｒｅｙｅｓ，「Ｔｈｅ  ｅｖｏｌｕｔｉｏｎ  ｔｏ  ４Ｇ  ｃｅｌｌｕｌａｒ  ｓｙｓｔｅｍｓ：ＬＴＥ−Ａｄｖａｎｃｅｄ」，Ｐｈｙｓｉｃａｌ  ｃｏｍｍｕｎｉｃａｔｉｏｎ，Ｅｌｓｅｖｉｅｒ，ｐｐ．２１７〜２４４，２０１０
［６３］Ａ．Ｂａｒｂｉｅｒｉ，Ｐ．Ｇａａｌ，Ｓ．Ｇｅｉｒｈｏｆｅｒ，Ｔ．Ｊｉ，Ｄ．Ｍａｌｌａｄｉ，Ｙ．Ｗｅｉ，ａｎｄ  Ｆ．Ｘｕｅ，「Ｃｏｏｒｄｉｎａｔｅｄ  ｄｏｗｎｌｉｎｋ  ｍｕｌｔｉ−ｐｏｉｎｔ  ｃｏｍｍｕｎｉｃａｔｉｏｎｓ  ｉｎ  ｈｅｔｅｒｏｇｅｎｅｏｕｓ  ｃｅｌｌｕｌａｒ  ｎｅｔｗｏｒｋｓ」，（Ｑｕａｌｃｏｍｍ），Ｉｎｆｏｒｍａｔｉｏｎ  Ｔｈｅｏｒｙ  ａｎｄ  Ａｐｐ．Ｗｏｒｋｓｈｏｐ，ｐｐ．７〜１６，Ｆｅｂ．２０１２
［６４］Ｓ．Ｐａｒｋｖａｌｌ，Ｅ．Ｄａｈｌｍａｎ，Ａ．Ｆｕｒｕｓｋａｒ，Ｙ．Ｊａｄｉｎｇ，Ｍ．Ｏｌｓｓｏｎ，Ｓ．Ｗａｎｓｔｅｄｔ，ａｎｄ  Ｋ．Ｚａｎｇｉ，「ＬＴＥ−Ａｄｖａｎｃｅｄ−ｅｖｏｌｖｉｎｇ  ＬＴＥ  ｔｏｗａｒｄｓ  ＩＭＴ−Ａｄｖａｎｃｅｄ」，（Ｅｒｉｃｓｓｏｎ）ＩＥＥＥ  ＶＴＣ，ｐｐ．１〜５，Ｓｅｐ．２００８
［６５］Ｒ．Ａ．Ｍｏｎｚｉａｎｏ  ａｎｄ  Ｔ．Ｗ．Ｍｉｌｌｅｒ，Ｉｎｔｒｏｄｕｃｔｉｏｎ  ｔｏ  Ａｄａｐｔｉｖｅ  Ａｒｒａｙｓ，Ｎｅｗ  Ｙｏｒｋ：Ｗｉｌｅｙ，１９８０。
［６６］Ｋ．Ｋ．Ｗｏｎｇ，Ｒ．Ｄ．Ｍｕｒｃｈ，ａｎｄ  Ｋ．Ｂ．Ｌｅｔａｉｅｆ，「Ａ  ｊｏｉｎｔ  ｃｈａｎｎｅｌ  ｄｉａｇｏｎａｌｉｚａｔｉｏｎ  ｆｏｒ  ｍｕｌｔｉｕｓｅｒ  ＭＩＭＯ  ａｎｔｅｎｎａ  ｓｙｓｔｅｍｓ，」ＩＥＥＥ  Ｔｒａｎｓ．Ｗｉｒｅｌｅｓｓ  Ｃｏｍｍ．，ｖｏｌ．２，ｐｐ．７７３〜７８６，Ｊｕｌ  ２００３；
［６７］Ｒ．Ｃｈｅｎ，Ｒ．Ｗ．Ｈｅａｔｈ，Ｊｒ．，ａｎｄ  Ｊ．Ｇ．Ａｎｄｒｅｗｓ，「Ｔｒａｎｓｍｉｔ  Ｓｅｌｅｃｔｉｏｎ  Ｄｉｖｅｒｓｉｔｙ  ｆｏｒ  Ｕｎｉｔａｒｙ  Ｐｒｅｃｏｄｅｄ  Ｍｕｌｔｉｕｓｅｒ  Ｓｐａｔｉａｌ  Ｍｕｌｔｉｐｌｅｘｉｎｇ  Ｓｙｓｔｅｍｓ  ｗｉｔｈ  Ｌｉｎｅａｒ  Ｒｅｃｅｉｖｅｒｓ，」ＩＥＥＥ  Ｔｒａｎｓ．ｏｎ  Ｓｉｇｎａｌ  Ｐｒｏｃ．，ｖｏｌ．５５，ｎｏ．３，ｐｐ．１１５９〜１１７１，Ｍａｒ．２００７。
［６８］Ｍ．Ｃｏｓｔａ，「Ｗｒｉｔｉｎｇ  ｏｎ  ｄｉｒｔｙ  ｐａｐｅｒ，」ＩＥＥＥ  Ｔｒａｎｓａｃｔｉｏｎｓ  ｏｎ  Ｉｎｆｏｒｍａｔｉｏｎ  Ｔｈｅｏｒｙ，Ｖｏｌ．２９，Ｎｏ．３，Ｐａｇｅ（ｓ）：４３９〜４４１，Ｍａｙ  １９８３。
［６９］Ｇ．Ｃａｉｒｅ  ａｎｄ  Ｓ．Ｓｈａｍａｉ，「Ｏｎ  ｔｈｅ  ａｃｈｉｅｖａｂｌｅ  ｔｈｒｏｕｇｈｐｕｔ  ｏｆ  ａ  ｍｕｌｔｉａｎｔｅｎｎａ  Ｇａｕｓｓｉａｎ  ｂｒｏａｄｃａｓｔ  ｃｈａｎｎｅｌ，」ＩＥＥＥ  Ｔｒａｎｓ．Ｉｎｆｏ．Ｔｈ．，ｖｏｌ．４９，ｐｐ．１６９１〜１７０６，Ｊｕｌｙ  ２００３。
［７０］Ｎｉｈａｒ  Ｊｉｎｄａｌ  ＆  Ａｎｄｒｅａ  Ｇｏｌｄｓｍｉｔｈ，「Ｄｉｒｔｙ  Ｐａｐｅｒ  Ｃｏｄｉｎｇ  ｖｓ．ＴＤＭＡ  ｆｏｒ  ＭＩＭＯ  Ｂｒｏａｄｃａｓｔ  Ｃｈａｎｎｅｌｓ」，ＩＥＥＥ  Ｔｒａｎｓ．ｏｎ  Ｉｎｆｏ．Ｔｈｅｏｒｙ，ｖｏｌ．５１，ｐｐ．１７８３〜１７９４，Ｍａｙ  ２００５
［７１］Ｍ．Ｔｏｍｌｉｎｓｏｎ，「Ｎｅｗ  ａｕｔｏｍａｔｉｃ  ｅｑｕａｌｉｚｅｒ  ｅｍｐｌｏｙｉｎｇ  ｍｏｄｕｌｏ  ａｒｉｔｈｍｅｔｉｃ，」Ｅｌｅｃｔｒｏｎｉｃｓ  Ｌｅｔｔｅｒｓ，Ｐａｇｅ（ｓ）：１３８〜１３９，Ｍａｒｃｈ  １９７１。
［７２］Ｈ．Ｍｉｙａｋａｗａ  ａｎｄ  Ｈ．Ｈａｒａｓｈｉｍａ，「Ａ  ｍｅｔｈｏｄ  ｏｆ  ｃｏｄｅ  ｃｏｎｖｅｒｓｉｏｎ  ｆｏｒ  ｄｉｇｉｔａｌ  ｃｏｍｍｕｎｉｃａｔｉｏｎ  ｃｈａｎｎｅｌｓ  ｗｉｔｈ  ｉｎｔｅｒｓｙｍｂｏｌ  ｉｎｔｅｒｆｅｒｅｎｃｅ，」Ｔｒａｎｓ．ｏｆ  ｔｈｅ  Ｉｎｓｔ．ｏｆ  Ｅｌｅｃｔｒｏｎｉｃ
［７３］Ｕ．Ｅｒｅｚ，Ｓ．Ｓｈａｍａｉ（Ｓｈｉｔｚ），ａｎｄ  Ｒ．Ｚａｍｉｒ，「Ｃａｐａｃｉｔｙ  ａｎｄ  ｌａｔｔｉｃｅ−ｓｔｒａｔｅｇｉｅｓ  ｆｏｒ  ｃａｎｃｅｌｌｉｎｇ  ｋｎｏｗｎ  ｉｎｔｅｒｆｅｒｅｎｃｅ，」Ｐｒｏｃｅｅｄｉｎｇｓ  ｏｆ  Ｉｎｔｅｒｎａｔｉｏｎａｌ  Ｓｙｍｐｏｓｉｕｍ  ｏｎ  Ｉｎｆｏｒｍａｔｉｏｎ  Ｔｈｅｏｒｙ，Ｈｏｎｏｌｕｌｕ，Ｈａｗａｉｉ，Ｎｏｖ．２０００。
［７４］Ｗ．Ｙｕ  ａｎｄ  Ｊ．Ｍ．Ｃｉｏｆｆｉ，「Ｔｒｅｌｌｉｓ  Ｐｒｅｃｏｄｉｎｇ  ｆｏｒ  ｔｈｅ  Ｂｒｏａｄｃａｓｔ  Ｃｈａｎｎｅｌ」，ＩＥＥＥ  Ｇｌｏｂｅｃｏｍ，ｖｏｌ．２，ｐｐ．１３４４〜１３４８，２００１
［７５］Ｂ．Ｍ．Ｈｏｃｈｗａｌｄ，Ｃ．Ｂ．Ｐｅｅｌ，ａｎｄ  Ａ．Ｌ．Ｓｗｉｎｄｌｅｈｕｒｓｔ，「Ａ  Ｖｅｃｔｏｒ−Ｐｅｒｔｕｒｂａｔｉｏｎ  Ｔｅｃｈｎｉｑｕｅ  ｆｏｒ  Ｎｅａｒ−Ｃａｐａｃｉｔｙ  Ｍｕｌｔｉａｎｔｅｎｎａ  Ｍｕｌｔｉｕｓｅｒ  Ｃｏｍｍｕｎｉｃａｔｉｏｎ−Ｐａｒｔ  Ｉ：Ｃｈａｎｎｅｌ  Ｉｎｖｅｒｓｉｏｎ  ａｎｄ  Ｒｅｇｕｌａｒｉｚａｔｉｏｎ」，ＩＥＥＥ  Ｔｒａｎｓ．Ｏｎ  Ｃｏｍｍｕｎｉｃａｔｉｏｎｓ，ｖｏｌ．５３，ｎ．１，ｐｐ．１９５〜２０２，Ｊａｎ．２００５  ［７６］Ｂ．Ｍ．Ｈｏｃｈｗａｌｄ，Ｃ．Ｂ．Ｐｅｅｌ，ａｎｄ  Ａ．Ｌ．Ｓｗｉｎｄｌｅｈｕｒｓｔ，「Ａ  Ｖｅｃｔｏｒ−Ｐｅｒｔｕｒｂａｔｉｏｎ  Ｔｅｃｈｎｉｑｕｅ  ｆｏｒ  Ｎｅａｒ−Ｃａｐａｃｉｔｙ  Ｍｕｌｔｉａｎｔｅｎｎａ  Ｍｕｌｔｉｕｓｅｒ  Ｃｏｍｍｕｎｉｃａｔｉｏｎ−Ｐａｒｔ  ＩＩ：Ｐｅｒｔｕｒｂａｔｉｏｎ」，ＩＥＥＥ  Ｔｒａｎｓ．Ｏｎ  Ｃｏｍｍｕｎｉｃａｔｉｏｎｓ，ｖｏｌ．５３，ｎ．３，ｐｐ．５３７〜５４４，Ｍａｒ．２００５
［７７］Ｓ．Ｐｅｒｌｍａｎ  ａｎｄ  Ａ．Ｆｏｒｅｎｚａ，「Ｄｉｓｔｒｉｂｕｔｅｄ−ｉｎｐｕｔ  ｄｉｓｔｒｉｂｕｔｅｄ−ｏｕｔｐｕｔ（ＤＩＤＯ）ｗｉｒｅｌｅｓｓ  ｔｅｃｈｎｏｌｏｇｙ：ａ  ｎｅｗ  ａｐｐｒｏａｃｈ  ｔｏ  ｍｕｌｔｉｕｓｅｒ  ｗｉｒｅｌｅｓｓ」，Ｒｅａｒｄｅｎ  Ｌａｂｓ  Ｗｈｉｔｅ  Ｐａｐｅｒ，Ｊｕｌｙ  ２０１１，ｈｔｔｐ：／／ｗｗｗ．ｒｅａｒｄｅｎｗｉｒｅｌｅｓｓ．ｃｏｍ／１１０７２７−ＤＩＤＯ−Ａ％２０Ｎｅｗ％２０Ａｐｐｒｏａｃｈ％２０ｔｏ％２０Ｍｕｌｔｉｕｓｅｒ％２０Ｗｉｒｅｌｅｓｓ．ｐｄｆ
［７８］Ａ．Ｖａｎｃｅ，「Ｓｔｅｖｅ  Ｐｅｒｌｍａｎ’ｓ  ｗｉｒｅｌｅｓｓ  ｆｉｘ」，Ｂｕｓｉｎｅｓｓｗｅｅｋ，Ｊｕｌｙ  ２０１１  ｈｔｔｐ：／／ｗｗｗ．ｂｕｓｉｎｅｓｓｗｅｅｋ．ｃｏｍ／ｍａｇａｚｉｎｅ／ｔｈｅ−ｅｄｉｓｏｎ−ｏｆ−ｓｉｌｉｃｏｎ−ｖａｌｌｅｙ−０７２７２０１１．ｈｔｍｌ
［７９］Ｍ．Ｌｉｎｄｓｔｒｏｍ（Ｅｒｉｃｓｓｏｎ），「ＬＴＥ−Ａｄｖａｎｃｅｄ  Ｒａｄｉｏ  Ｌａｙｅｒ  ２  ａｎｄ  ＲＲＣ  ａｓｐｅｃｔｓ」，３ＧＰＰ  ＴＳＧ−ＲＡＮ  ＷＧ２
［８０］Ａｎｒｉｔｓｕ，「ＬＴＥ  ｒｅｓｏｕｒｃｅ  ｇｕｉｄｅ」，ｗｗｗ．ｕｓ．ａｎｒｉｔｓｕ．ｃｏｍ
［８１］３ＧＰＰ，「Ｓｐａｔｉａｌ  Ｃｈａｎｎｅｌ  Ｍｏｄｅｌ  ＡＨＧ（Ｃｏｍｂｉｎｅｄ  ａｄ−ｈｏｃ  ｆｒｏｍ  ３ＧＰＰ  ＆  ３ＧＰＰ２）」，ＳＣＭ  Ｔｅｘｔ  Ｖ６．０，Ａｐｒｉｌ  ２２，２００３
［８２］Ｊ．Ｌｅｅ，「Ｉｎｔｒｏｄｕｃｔｉｏｎ  ｏｆ  ＬＴＥ−Ａｄｖａｎｃｅｄ  ＤＬ／ＵＬ  ＭＩＭＯ」，Ｓａｍｓｕｎｇ  Ｅｌｅｃｔｒｏｎｉｃｓ，Ｓｅｐ．２００９
［８３］Ｅ．Ｄａｈｌｍａｎ，Ｓ．Ｐａｒｋｖａｌｌ  ａｎｄ  Ｊ．Ｓｋｏｌｄ，「４Ｇ：ＬＴＥ／ＬＴＥ−Ａｄｖａｎｃｅｄ  ｆｏｒ  ｍｏｂｉｌｅ  ｂｒｏａｄｂａｎｄ」，Ｅｌｓｅｖｉｅｒ，２０１１
［８４］Ｊ．Ｓｙｒｅｎ，「Ｏｖｅｒｖｉｅｗ  ｏｎ  ｔｈｅ  ３ＧＰＰ  ｌｏｎｇ  ｔｅｒｍ  ｅｖｏｌｕｔｉｏｎ  ｐｈｙｓｉｃａｌ  ｌａｙｅｒ」，Ｆｒｅｅｓｃａｌｅ  Ｗｈｉｔｅ  Ｐａｐｅｒ，Ｊｕｌｙ  ２００７
［８５］Ｍ．Ｂａｋｅｒ，「ＬＴＥ−Ａｄｖａｎｃｅｄ  ｐｈｙｓｉｃａｌ  ｌａｙｅｒ」，Ａｌｃａｔｅｌ−Ｌｕｃｅｎｔ，Ｄｅｃ．２００９
［８６］Ｊ．Ｘｕ，「ＬＴＥ−Ａｄｖａｎｃｅｄ  ｓｉｇｎａｌ  ｇｅｎｅｒａｔｉｏｎ  ａｎｄ  ｍｅａｓｕｒｅｍｅｎｔｓ  ｕｓｉｎｇ  ＳｙｓｔｅｍＶｕｅ」，Ａｇｉｌｅｎｔ  Ｔｅｃｈｎｏｌｏｇｉｅｓ
［８７］Ｘ．Ｈｏｕ  ａｎｄ  Ｈ．Ｋａｙａｍａ，「Ｄｅｍｏｄｕｌａｔｉｏｎ  ｒｅｆｅｒｅｎｃｅ  ｓｉｇｎａｌ  ｄｅｓｉｇｎ  ａｎｄ  ｃｈａｎｎｅｌ  ｅｓｔｉｍａｔｉｏｎ  ｆｏｒ  ＬＴＥ−Ａｄｖａｎｃｅｄ  ｕｐｌｉｎｋ」，ＤＯＣＯＭＯ，Ａｄｖ．ｉｎ  Ｖｅｈｉｃ．Ｎｅｔｗ．Ｔｅｃｈ．，Ａｐｒ．２０１１
［８８］Ｄ．Ｃ．Ｃｈｕ，「Ｐｏｌｙｐｈａｓｅ  ｃｏｄｅｓ  ｗｉｔｈ  ｇｏｏｄ  ｐｅｒｉｏｄｉｃ  ｃｏｒｒｅｌａｔｉｏｎ  ｐｒｏｐｅｒｔｉｅｓ」，ＩＥＥＥ  Ｔｒａｎｓ．Ｉｎｆｏ．Ｔｈｅｏｒｙ，ｖｏｌ．１８，ｎ．４，ｐｐ．５３１〜５３２，Ｊｕｌｙ  １９７２
【図１】
2019004482.tif 000003
【図２】
2019004482.tif 000004
【図３】
2019004482.tif 000005
【図４】
2019004482.tif 000006
【図５】
2019004482.tif 000007
【図６Ａ】
2019004482.tif 000008
【図６Ｂ】
2019004482.tif 000009
【図６Ｃ】
2019004482.tif 000010
【図７Ａ】
2019004482.tif 000011
【図７Ｂ】
2019004482.tif 000012
【図８】
2019004482.tif 000013
【図９】
2019004482.tif 000014
【外国語明細書】
2019004482000001.pdf